(57)【要約】  内視鏡と共に使用するように構成された使い捨て可能な弁アセンブリが開示される。使い捨て可能な弁アセンブリは、熱可塑性材料から構成されたステムと、ステムを受け入れて、ばね支柱に対するステムの上方および下方位置の移動を可能にするように構成されたばね支柱と、そのばね支柱およびステムと接触するように構成されたばねとを含み得る。いくつかの実施形態では、潤滑剤がステム、ばね支柱および／またはばねに配置される。使い捨て可能な弁アセンブリはまた、潤滑剤中または熱可塑性材料中に配置された抗菌剤を含み得る、および／またはその上にコーティングされることができる。内視鏡と共に使用するための使い捨て可能な弁アセンブリを製造する方法はいくつかのステップを含み得る。【選択図】図２Ａ
2021518212.tif 000002
【特許請求の範囲】
【請求項１】
内視鏡と共に使用するように構成された使い捨て可能な弁アセンブリであり、近位端および遠位端および第１の開口部を含むステムであって、前記第１の開口部は前記ステムの長手方向軸に沿って配置され、前記ステムの前記近位端から前記遠位端までまたは前記遠位端に隣接して延び、前記ステムは熱可塑性材料と、前記第１の開口部を横切り、交差する第２の開口部とを含み、前記ステムの前記第２の開口部は前記ステムを通って延びるステムと；前記ステムを受け入れるように構成された開口部を備えるばね支柱であって、前記ばね支柱および／またはばねは、前記近位端および／または遠位端に対する前記ステムの上向きおよび下向き方向の移動を可能にするように構成されているばね支柱と；前記ばね支柱に接触するように構成された前記ばねとを含む、使い捨て可能な弁アセンブリ。
【請求項２】
前記使い捨て可能な弁アセンブリが、前記内視鏡への空気および水の流れを制御するために使用される、請求項１に記載の使い捨て可能な弁アセンブリ。
【請求項３】
潤滑剤が前記ステム、ばね支柱および／または前記ばねに配置される、請求項１に記載の使い捨て可能な弁アセンブリ。
【請求項４】
前記使い捨て可能な弁アセンブリがキャップをさらに備え、前記キャップは前記ステムと係合するように構成される、請求項１〜３のいずれか一項に記載の使い捨て可能な弁アセンブリ。
【請求項５】
前記使い捨て可能な弁アセンブリが、前記ステムとスナップ嵌めするための取り付け具を有するキャップをさらに備える、請求項１〜４のいずれか一項に記載の使い捨て可能な弁アセンブリ。
【請求項６】
前記使い捨て可能な弁アセンブリが、前記ばね支柱を超える直径を有し且つ前記ばね支柱と係合するように構成されたブーツをさらに備える、請求項１に記載の使い捨て可能な弁アセンブリ。
【請求項７】
前記ステムの前記第２の開口部が前記ステムの前記遠位端に隣接し、前記ステムを通って延びる、請求項１に記載の使い捨て可能な弁アセンブリ。
【請求項８】
前記ステムの前記遠位端に配置された傘形弁、ダックビル弁またはダイヤフラム弁をさらに備える、請求項１〜７のいずれか一項に記載の使い捨て可能な弁アセンブリ。
【請求項９】
前記ダックビルまたは前記ダイヤフラムがダックビル受容部またはダイヤフラム受容部に圧入される、請求項８に記載の使い捨て可能な弁アセンブリ。
【請求項１０】
前記傘形弁が前記ステムにオーバーモールドされる、請求項８に記載の使い捨て可能な弁アセンブリ。
【請求項１１】
前記キャップが、一方の端部でステムインサートを受け入れ、反対の端部で前記ステムの上にスナップ嵌めするように構成された複数の突起を備える、請求項５に記載の使い捨て可能な弁アセンブリ。
【請求項１２】
（ｉ）前記傘形弁が、角度が付けられたまたは面取りされた縁部を備える外縁を備え、または（ｉｉ）前記傘形弁が突起を備える外縁を備える、請求項８に記載の使い捨て可能な弁アセンブリ。
【請求項１３】
（ｉ）前記熱可塑性材料が抗菌剤を含み、および／または（ｉｉ）前記熱可塑性材料がその上にコーティングされた抗菌剤を有する、請求項１に記載の使い捨て可能な弁アセンブリ。
【請求項１４】
（ｉ）前記潤滑剤が、シリコーンベースのグリース、非シリコーンベースのグリース、またはそれらの組み合わせを含み；および／または（ｉｉ）前記抗菌剤が、抗生物質、防腐剤、抗ウイルス剤、抗真菌剤、消毒剤またはそれらの組み合わせである、請求項１２に記載の使い捨て可能な弁アセンブリ。
【請求項１５】
内視鏡と共に使用するように構成された使い捨て可能な弁アセンブリであり、近位端および遠位端および第１の開口部を含むステムであって、前記第１の開口部は前記ステムの長手方向軸に沿って配置され、前記ステムは熱可塑性材料と、前記第１の開口部を横切り、交差する第２の開口部とを含み、前記ステムの前記第２の開口部は部分的に前記ステムを通って延びるステムと；前記ステムを受け入れるように構成された開口部を備えるばね支柱であって、前記ばね支柱および／またはばねは、前記近位端および／または遠位端に対する前記ステムの上向きおよび下向き方向の移動を可能にするように構成されているばね支柱と；前記ばね支柱に接触するように構成された前記ばねとを含む、使い捨て可能な弁アセンブリ。
【請求項１６】
前記使い捨て可能な弁アセンブリが前記内視鏡を介した吸引を可能にするように使用される、請求項１５に記載の使い捨て可能な弁アセンブリ。
【請求項１７】
前記潤滑剤が前記ステム、ばね支柱、および／または前記ばねに配置される、請求項１５に記載の使い捨て可能な弁アセンブリ。
【請求項１８】
前記使い捨て可能な弁アセンブリがキャップをさらに含み、前記キャップは前記ステムと係合するように構成される、請求項１〜１７のいずれか一項に記載の使い捨て可能な弁アセンブリ。
【請求項１９】
前記使い捨て可能な弁アセンブリが、前記ステムとスナップ嵌めするための取り付け具を有するキャップをさらに備える、請求項１〜１８のいずれか一項に記載の使い捨て可能な弁アセンブリ。
【請求項２０】
前記使い捨て可能な弁アセンブリが、前記ばね支柱を超える直径を有しかつ前記ばね支柱と係合するように構成されたブーツをさらに備える、請求項１５に記載の使い捨て可能な弁アセンブリ。
【請求項２１】
前記ステムが、前記ステムから延びる突起を含む前記第２の開口部の反対側の表面を含み、前記突起は前記使い捨て可能な弁アセンブリを前記内視鏡と位置合わせするための半円形状を有する、請求項１５に記載の使い捨て可能な弁アセンブリ。
【請求項２２】
部分的に前記ステムを通って延びる前記ステムの前記第２の開口部は、前記第２の開口部に隣接しかつ突起を有するガスケットをさらに含む、請求項１５に記載の使い捨て可能な弁アセンブリ。
【請求項２３】
前記キャップが、一方の端部でステムインサートを受け入れ、反対の端部で前記ステムの上にスナップ嵌めするように構成された複数の突起を備える、請求項１９に記載の使い捨て可能な弁アセンブリ。
【請求項２４】
（ｉ）前記ステムの前記遠位端に配置された複数のガスケット；または（ｉｉ）前記ステムの前記遠位端に配置された二重ガスケットをさらに備える、請求項１５に記載の使い捨て可能な弁アセンブリ。
【請求項２５】
（ｉ）前記潤滑剤が抗菌剤を含む、請求項１７に記載の使い捨て可能な弁アセンブリ。
【請求項２６】
（ｉ）前記熱可塑性材料が抗菌剤を含み；および／または（ｉｉ）前記熱可塑性材料が、その上にコーティングされた抗菌剤を有する、請求項１５に記載の使い捨て可能な弁アセンブリ。
【請求項２７】
（ｉ）前記潤滑剤が、シリコーンベースのグリース、非シリコーンベースのグリース、またはそれらの組み合わせを含み；および／または（ｉｉ）前記抗菌剤が、抗生物質、防腐剤、抗ウイルス剤、抗真菌剤、消毒剤またはそれらの組み合わせである、請求項２５に記載の使い捨て可能な弁アセンブリ。
【請求項２８】
内視鏡と共に使用するように構成された使い捨て可能な空気／水弁アセンブリを製造する方法であり、弁ステム、キャップおよびばね支柱を別々に成形することであって、前記ステムが近位端および遠位端および第１の開口部を備え、前記第１の開口部は前記ステムの長手方向軸に沿って配置され、前記ステムの前記近位端から前記遠位端までまたは前記遠位端に隣接して延び、前記ステムは、前記第１の開口部を横切って交差する第２の開口部を備え、前記ステムの前記第２の開口部は前記ステムを通って延びる、成形すること；前記ステムの前記近位端を前記ばね支柱のステム開口部を通して配置すること；前記ステムの前記近位端をばねの中心を通して配置すること；および前記キャップを前記ステムの前記近位端に取り付け、ステムインサートで固定することを含む方法。
【請求項２９】
前記方法が、前記ステム、ばね、および／またはばね支柱に潤滑剤を塗布することをさらに含む、請求項２８に記載の製造方法。
【請求項３０】
（ｉ）ガスケットを前記ステム上にオーバーモールドすること；（ｉｉ）前記ばね支柱上にブーツをオーバーモールドすること；または（ｉｉｉ）前記ステムの前記遠位端に傘形弁、ダックビル弁、またはダイヤフラム弁を配置することをさらに含む、請求項２８に記載の製造方法。
【請求項３１】
前記ステムが色分けされる、請求項２８に記載の製造方法。
【請求項３２】
前記ステムが、吸引ポートまたは前記ステム内の気密シールを保証するためのガスケットを含む、請求項２８に記載の製造方法。
【請求項３３】
前記ステムの成形が任意選択的に抗菌剤の存在下で行われる、請求項２８に記載の製造方法。
【請求項３４】
前記キャップが前記ステムに超音波溶接される、圧入される、または別の方法で取り付けられる、請求項２８に記載の製造方法。
【請求項３５】
前記潤滑剤が、シリコーンベースのグリース、非シリコーンベースのグリース、またはそれらの組み合わせを含む、請求項２９に記載の製造方法。
【請求項３６】
前記抗菌剤が、抗生物質、防腐剤、抗ウイルス剤、抗真菌剤、消毒剤またはそれらの組み合わせである、請求項３３に記載の製造方法。
【請求項３７】
内視鏡と共に使用するように構成された使い捨て可能な吸引弁アセンブリを製造する方法であり、弁ステム、キャップおよびばね支柱を別々に成形することであって、前記ステムが近位端および遠位端および第１の開口部を備え、前記第１の開口部は前記ステムの長手方向軸に沿って配置され、前記ステムは、前記第１の開口部を横切って交差する第２の開口部を備え、前記ステムの前記第２の開口部は部分的に前記ステムを通って延びる、成形すること；前記ステムの前記近位端を前記ばね支柱のステム開口部を通して配置すること；前記ステムの前記近位端をばねの中心を通して配置すること；および前記キャップを前記ステムの前記近位端に取り付けることを含む方法。
【請求項３８】
前記方法が、前記キャップをステムインサートで固定することをさらに含む、請求項３７に記載の製造方法。
【請求項３９】
前記方法が、潤滑剤を前記ステム、ばね、および／またはばね支柱に塗布することをさらに含む、請求項３７に記載の製造方法。
【請求項４０】
前記方法が、（ｉ）ガスケットを前記ステム上にオーバーモールドすること；（ｉｉ）前記ばね支柱上にブーツをオーバーモールドすること；または（ｉｉｉ）ブーツを前記ばね支柱上にオーバーモールドすることをさらに含む、請求項３７に記載の製造方法。
【請求項４１】
（ｉ）前記ステムおよび／または前記第２の開口部の周囲の前記ガスケットが色分けされ；（ｉｉ）前記ステムが吸引ポートまたは前記ステム内の気密シールを保証するためにガスケットを備え；（ｉｉｉ）前記ステムを成形することが任意選択的に抗菌剤の存在下に行われ；（ｉｖ）前記キャップが前記ステムに超音波溶接され、圧入され、または別の方法で取り付けられ；（ｖ）前記潤滑剤が、シリコーンベースのグリース、非シリコーンベースのグリース、またはそれらの組み合わせを含み；および／または（ｖｉ）前記抗菌剤が、抗生物質、防腐剤、抗ウイルス剤、抗真菌剤、消毒剤またはそれらの組み合わせである、請求項１９に記載の製造方法。
【請求項４２】
前記ステムがプラスチック材料を含む、請求項１〜２７のいずれか一項に記載の使い捨て可能な弁アセンブリ。
【請求項４３】
前記ステムがプラスチック材料を含む、請求項２８〜４０のいずれか一項に記載の方法。
【発明の詳細な説明】
【技術分野】
【０００１】
本出願は、２０１８年３月２１日に提出され、“ＤＩＳＰＯＳＡＢＬＥ  ＶＡＬＶＥＳ  ＦＯＲ  ＡＮ  ＥＮＤＯＳＣＯＰＥ  ＯＰＴＩＯＮＡＬＬＹ  ＨＡＶＩＮＧ  ＬＵＢＲＩＣＡＮＴ  ＡＮＤ／ＯＲ  ＡＮ  ＡＮＴＩＭＩＣＲＯＢＩＡＬ  ＡＧＥＮＴ（潤滑剤および／または抗菌剤を任意選択的に有する内視鏡用の使い捨て可能な弁）”と題された米国仮特許出願第６２／６４５，９５１号に付与された優先権およびその利益を主張する。この仮特許出願は参照により完全な形で本明細書に組み込まれる。
【背景技術】
【０００２】
医療機関は、医療費を削減または制限する方法を見つけるために絶えず圧力を受けている。医療機関がコストを削減するための１つのそのような機会は、器具および補給品をリサイクルすることであり、特に再利用のために洗浄および滅菌可能な単回使用医療機器（ＳＵＤ）を回収することである。
【０００３】
通常、医療機器は２つのカテゴリに分類される。第１のカテゴリは再利用可能な機器であり、これは再利用可能として販売されており、病院などの医療機関が再利用のために洗浄および滅菌することができる。再利用可能な、製造業者によって指定された複数回使用の医療機器は、医療機器が病院や手術センターによって再利用のために処理され得ることを期待して販売されている。このような医療機器は１回だけ販売され、複数の患者に対して使用するために通常は何度も洗浄および再滅菌される。これらの医療機器は、病院または手術センターの担当者により使用後に収集され、洗浄され、オートクレーブ内で、またはエチレンオキシドまたは他の適切な滅菌剤に曝されることにより再滅菌され、必要に応じて再包装され、再利用される。
【０００４】
第２のカテゴリは、再処理可能な機器を含み、これは単回使用のみのために製造業者によって指定される。これらの医療機器は、適切に再処理された場合に限り再利用することができる。
【０００５】
医療機器のうち、内視鏡は当技術分野で周知であり、多くの医療処置に一般的に使用される。内視鏡の制御セクションは、吸引シリンダ、空気／水シリンダ、生検チャネル等を含み得る。内視鏡の様々な機能を制御するためにこれらのシリンダまたはチャネルに弁を挿入することができる。
【０００６】
各使用後、内視鏡は、疾患、病原菌、細菌、および病気の広がりを防ぐために、洗浄、消毒、滅菌等を受ける。内視鏡の多くの構成要素は、内視鏡を通る空気、水の流れ、または流体の吸引を調整し、また使用の合間に洗浄、消毒、および／または滅菌しなければならない弁を含め、再利用可能である。
【０００７】
残念ながら、機器および再利用可能な弁の高レベルの消毒を維持することに関連して、通常、多大な費用がかかる。再利用可能な内視鏡弁は、内視鏡および対応する弁の再処理における違反を特定するために、洗浄および再処理手順の間、対応する内視鏡と一緒に注意深く追跡する必要があり、これにより内視鏡および対応する弁が再利用される場合、患者間の交差汚染のリスクが低減される。
【０００８】
再利用可能な弁は、いくつかの金属、プラスチック、および／またはゴム製部品の組み合わせから組み立てられ得る。そのため、内視鏡と共に使用するための再利用可能な弁の製造に関連するかなりのコストがある。
【０００９】
使い捨て可能な弁は、再利用可能な弁の洗浄、消毒、および滅菌の必要性を排除し、それにより、繰り返しの洗浄、消毒、および滅菌のコストを排除する。また、使い捨て可能な弁は、特定の内視鏡モデルおよびシリアル番号まで弁を追跡する必要を排除し、患者に最高レベルの感染防止を提供する。さらに、使い捨て可能な弁は、製造に利用される高価な材料を必要とせず、それにより、高価な材料から弁を製造する高いコストを排除する。
【００１０】
したがって、交差汚染および繰り返しの洗浄、消毒、および滅菌の必要性を低減または排除する、内視鏡と共に使用するための新しい使い捨て可能な弁を開発する必要性がある。特に、内視鏡処置中の細菌、真菌などの増殖を防止または実質的に排除する能力を有する新しい弁および方法が必要とされている。
【発明の概要】
【００１１】
内視鏡を汚染するリスクを低減または排除し、患者に感染するリスクを低減または排除する新しい使い捨て可能な内視鏡弁および方法が提供される。さらに、弁チャンバまたはチャネルへのより均一な適合、より良い吸引および／または空気および水の流れを可能にする潤滑剤を使用する改善されたシールを提供することにより使い捨て可能な弁がより良く機能することを可能にする新しい使い捨て可能な内視鏡弁および方法が提供される。様々な実施形態は、富士フィルム（商標）内視鏡と共に使用するように構成された使い捨て可能な弁アセンブリを提供し、その製造プロセスを含めて本明細書で考察される。新しい使い捨て可能な内視鏡弁は、いくつかの実施形態において潤滑剤を有することができる。潤滑剤に加えて、または潤滑剤の代替として、使い捨て可能な内視鏡弁は、潤滑剤中に配置されるかまたは使い捨て可能な弁にコーティングされる抗菌剤を有することができ、または抗菌剤は使い捨て可能な弁と一緒に作られ、それと一体化することができる。
【００１２】
いくつかの実施形態では、使い捨て可能な弁アセンブリが提供され、近位端および遠位端および第１の開口部を含む、本質的にそれらからなる、またはそれらからなるステムを含み得、第１の開口部はステムの長手方向軸に沿って配置され、ステムの近位端から遠位端までまたは遠位端に隣接して延び、ステムは、第１の開口部を横切って交差する第２の開口部を含み、ステムの第２の開口部は、ステムの遠位端に隣接し、ステムを通って延びる。ステムは、熱可塑性材料を含む、本質的にそれからなる、またはそれからなる。弁アセンブリはまた、ばね支柱を含み、ばね支柱は、ステムを受け入れ、ばね支柱に対して上方および下方位置のステムの移動を可能にするように構成された開口部を備える。弁アセンブリはまた、ばね支柱およびステムに接触するように構成されたばねを含み得る。様々な実施形態では、ステム、ばね支柱および／またはばねに配置された潤滑剤がある。いくつかの実施形態では、（ｉ）潤滑剤は抗菌剤を含む；（ｉｉ）熱可塑性材料は抗菌剤を含む；および／または（ｉｉｉ）熱可塑性材料は、その上にコーティングされた抗菌剤を有する。
【００１３】
特定の実施形態では、富士フィルム（商標）内視鏡と共に使用するように構成された使い捨て可能な弁アセンブリがあり、弁は、（ｉ）内視鏡への空気および水を制御するために使用できる；（ｉｉ）ステム、ばね支柱、および／またはばねに配置された潤滑剤を有する；（ｉｉｉ）ステムと係合するように構成されたキャップをさらに含む；（ｉｖ）ステムとスナップ嵌めするための取り付け具を有するキャップをさらに含む；および／または（ｖ）ばね支柱より大きい直径を有し、ばね支柱と係合するように構成されたブーツをさらに含む。いくつかの実施形態では、キャップは、ステムに超音波溶接、接着、ねじ留め、スナップ嵌め、または他の方法で取り付けられる。
【００１４】
特定の実践形態では、使い捨て可能な弁アセンブリは、ステムの遠位端に配置された傘形弁、ダックビル弁、またはダイヤフラム弁をさらに含む、それらから本質的になる、またはそれらからなる。他の実施形態では、（ｉ）ダックビルまたはダイヤフラム弁は、ダックビル受容部またはダイヤフラム受容部に圧入され、（ｉｉ）傘形弁は、ステムの上にオーバーモールドするか、またはステムに取り付けることができる。
【００１５】
他の実践形態では、使い捨て可能な弁アセンブリのキャップは、一端でステムインサートを受け入れ、反対端でステムの上にスナップ嵌めするように構成された複数の突起、またはいくつかの態様では２つの突起を含む。様々な態様では、（ｉ）使い捨て可能な弁アセンブリの潤滑剤は抗菌剤を含む；（ｉｉ）熱可塑性材料は抗菌剤を含む；および／または（ｉｉｉ）熱可塑性材料は、その上にコーティングされた抗菌剤を有する。
【００１６】
様々な実施において、（ｉ）使い捨て可能な空気／水弁アセンブリの潤滑剤は、シリコーンベースのグリース、非シリコーンベースのグリース、またはそれらの組み合わせを含む；および／または（ｉｉ）抗菌剤は、抗生物質、防腐剤、抗ウイルス剤、抗真菌剤、消毒剤またはそれらの組み合わせである。
【００１７】
特定の実施形態では、本開示は、内視鏡と共に使用するように構成された使い捨て可能な吸引弁アセンブリを提供する。使い捨て可能な吸引弁アセンブリは、近位端および遠位端および第１の開口部を備えるステムを備え、第１の開口部はステムの長手方向軸に沿って配置され、ステムは、熱可塑性材料と、第１の開口部を横切って交差する第２の開口部とを含み、ステムの第２の開口部は部分的にステムを通って延び、第２の開口部の反対側の表面はステムから延びる突起を含む。使い捨て可能な吸引弁アセンブリはまた、ステムを受け入れるように構成された開口部を備えるばね支柱であって、ばね支柱に対して上方および下方位置のステムの移動を可能にするように構成されたばね支柱と；ばね支柱に接触するように構成されたばねとを含む。
【００１８】
他の実施態様では、（ｉ）使い捨て可能な弁アセンブリは、内視鏡へのおよび内視鏡からの吸引に使用される；（ｉｉ）潤滑剤がステム、ばね支柱、および／またはばねに配置される；（ｉｉｉ）使い捨て可能な弁アセンブリは、キャップをさらに含み、キャップはステムと係合するように構成される；（ｉｖ）使い捨て可能な弁アセンブリは、ステムとスナップ嵌めするための取り付け具を有するキャップをさらに備える；（ｖ）使い捨て可能な弁アセンブリは、ばね支柱より大きい直径を有し、ばね支柱と係合するように構成されたブーツをさらに備える；または（ｖｉ）突起は、使い捨て可能な弁アセンブリを内視鏡と位置合わせするための半円形状を有する。
【００１９】
特定の態様では、部分的にステムを通って延びるステムの第２の開口部は、第２の開口部に隣接し、隆起した表面または突起を有するガスケットをさらに含み、ガスケットは、空気／液密シールを形成するために弁アセンブリと内視鏡とのより良好な位置合わせを提供する。他の実施態様では、使い捨て可能な弁アセンブリのキャップは、複数の突起、またはいくつかの態様では、２、３、４、５、６、７、または他の偶数もしくは奇数の突起を含み、一方の端部でステムインサートを受け入れ、反対の端部でステムの上にスナップ嵌めするように構成される。様々な態様では、（ｉ）使い捨て可能な弁アセンブリの潤滑剤は抗菌剤を含む；（ｉｉ）熱可塑性材料は抗菌剤を含む；および／または（ｉｉｉ）熱可塑性材料は、その上にコーティングされた抗菌剤を有する。
【００２０】
様々な実践形態において、（ｉ）使い捨て可能な吸引弁アセンブリの潤滑剤は、シリコーンベースのグリース、非シリコーンベースのグリース、またはそれらの組み合わせを含む；および／または（ｉｉ）抗菌剤は、抗生物質、防腐剤、抗ウイルス剤、抗真菌剤、消毒剤またはそれらの組み合わせである。
【００２１】
様々な実施形態では、本開示は、内視鏡と共に使用するように構成された使い捨て可能な空気／水弁アセンブリを製造する方法を提供し、方法は、弁ステム、キャップおよびばね支柱を別々に成形することを含み、ステムは近位端および遠位端および第１の開口部を備え、第１の開口部はステムの長手方向軸に沿って配置され、ステムの近位端から遠位端までまたは遠位端に隣接して延び、ステムは、第１の開口部を横切って交差する第２の開口部を含み、第２の開口部はステムの遠位端に隣接し、ステムを通って延びる。
【００２２】
他の実施形態では、ステムの近位端は、ばねの中心を通して配置することができる；次に、ステムの近位端が、ばね支柱のステム開口部を通して配置される；キャップは、ステムの近位端に取り付け、ステムインサートで固定できる；そして、ステム、ばね、および／またはばね支柱に潤滑剤が塗布される。他の態様では、製造方法は、以下をさらに含むか、本質的にそれらからなるか、またはそれらからなる；（ｉ）ガスケットをステム上にオーバーモールドすること；（ｉｉ）ばね支柱上にブーツをオーバーモールドすること；または（ｉｉｉ）ステムの遠位端に傘形弁、ダックビル弁、またはダイヤフラム弁を配置すること。他の実践形態では、製造方法はまた；（ｉ）空気／水弁のステムが色分けされるステップ；（ｉｉ）ステムは、吸引ポートまたはステム内の気密シールを保証するためのガスケットを含むステップ；（ｉｉｉ）ステムの成形は、任意選択的に抗菌剤の存在下で行われるステップ；（ｉｖ）ボタンキャップがステムに超音波溶接、圧入、または別の方法で取り付けられるステップ；（ｖ）潤滑剤は、シリコーンベースのグリース、非シリコーンベースのグリース、またはそれらの組み合わせを含むステップ；および／または（ｖｉ）抗菌剤は、抗生物質、防腐剤、抗ウイルス剤、抗真菌剤、消毒剤またはそれらの組み合わせであるステップを含む。
【００２３】
いくつかの実施形態では、内視鏡と共に使用するための使い捨て可能な吸引弁アセンブリを製造するための方法が提供され、いくつかのステップを含み得る。ステムは、任意選択的に抗菌剤の存在下で精密成形され、次にステムの上にガスケットまたはシールをオーバーモールドするために型に配置される。次のステップの前に、支柱とボタンキャップが成形される。ブーツは支柱の上にオーバーモールドすることができる。ステムの後端または近位端は、支柱／ブーツおよび弾性部材（例えば、ばね、ゴム、弾性体、その他）の中心を通って配置される。次に、ボタンキャップをステムに配置して固定する。ステム、ばねおよび／またはばね支柱に潤滑剤を塗布することができる。
【００２４】
いくつかの実施形態では、ばね支柱が成形され；ステムの下端がばねの中心を通って配置され；ステムの下端は、ばね支柱のステム開口部を通して配置され；そして、潤滑剤が、ステム、ばね、および／またはばね支柱に塗布され、潤滑剤は、他の実施形態では、抗菌剤を含む。
【００２５】
他の実施形態では、内視鏡と共に使用するように構成された使い捨て可能な吸引弁を製造する方法が提供され、この方法は、弁ステム、キャップ、およびばね支柱を別々に成形することであって、ステムは近位端および遠位端および第１の開口部を備え、第１の開口部はステムの長手方向軸に沿って配置され、ステムは、第１の開口を横切って交差する第２の開口部を含み、ステムの第２の開口部は部分的にステムを通って延び、第２の開口部の反対側の表面が、ステムから延びる突起を含む、成形すること；ステムの近位端をばねの中心を通して配置すること；ばね支柱のステム開口部を通してステムの近位端を配置すること；キャップをステムの近位端に取り付け、ステムインサートで固定すること；およびステム、ばね、および／またはばね支柱に潤滑剤を塗布することを含む。
【００２６】
様々な実施形態の追加の特徴および利点は、以下の記載の中に部分的に記載され、その記載から部分的に明らかになるか、または様々な実施形態の実施によって知ることができる。様々な実施形態の目的および他の利点は、記載および添付の特許請求の範囲で特に指摘された要素および組み合わせによって実現および達成されるであろう。
【００２７】
部分的に、実施形態の他の態様、特徴、利点、および有利性は、以下の記載、添付の特許請求の範囲、および添付の図面に関して明らかになるであろう。
【図面の簡単な説明】
【００２８】
【図１Ａ−１Ｂ】それぞれ、使い捨て可能な空気／水弁および吸引弁の実施形態の正面図を示す。
【図２Ａ−２Ｂ】それぞれ、使い捨て可能な空気／水弁および吸引弁の実施形態の斜視図を示す。
【図３Ａ−３Ｂ】それぞれ、使い捨て可能な空気／水弁および吸引弁の実施形態の斜視図を示す。
【図４Ａ−４Ｂ】それぞれ、使い捨て可能な空気／水弁および吸引弁の実施形態の斜視図を示す。
【図５Ａ】内視鏡での使用に適した使い捨て可能な空気／水弁の実施形態の傘形ステム設計の斜視図を示す。
【図５Ｂ】内視鏡で使用するための使い捨て可能な空気／水弁の実施形態の傘形ステム設計の側面図を示す。
【図５Ｃ】内視鏡で使用するための使い捨て可能な空気／水弁の実施形態の傘形ステム設計の断面図を示す。
【図５Ｄ】内視鏡で使用するための使い捨て可能な空気／水弁の実施形態の傘形ステム設計の側面図を示す。
【図５Ｅ】内視鏡で使用するための使い捨て可能な空気／水弁の実施形態の傘形ステム設計の遠位端の底面図を示す。
【図５Ｆ】内視鏡で使用するための使い捨て可能な空気／水弁の傘形ステム設計の実施形態の近位端の上面図を示す。
【図５Ｇ】図５Ｄの平面ＡＡに沿った使い捨て可能な空気／水弁の実施形態の傘形ステム設計の断面図を示す。
【図５Ｈ】図５Ｇの細部Ｂの拡大図を示す。
【図６Ａ】内視鏡で使用するための使い捨て可能な空気／水弁の別の実施形態のダックビルステム設計の斜視図を示す。
【図６Ｂ】内視鏡での使用に適した使い捨て可能な空気／水弁の実施形態のダックビルステム設計の側面図を示す。
【図６Ｃ】内視鏡での使用に適した使い捨て可能な空気／水弁の実施形態のダックビルステム設計の断面図を示す。
【図６Ｄ】内視鏡での使用に適した使い捨て可能な空気／水弁の実施形態のダックビルステム設計の断面図を示す。
【図６Ｅ】内視鏡で使用するための使い捨て可能な空気／水弁の実施形態のダックビルステム設計の遠位端の底面図を示す。
【図６Ｆ】内視鏡で使用するための使い捨て可能な空気／水弁の実施形態のダックビルステム設計の近位端の上面図を示す。
【図６Ｇ】内視鏡で使用するための図６Ｄの平面ＡＡに沿った使い捨て可能な空気／水弁の実施形態のダックビルステム設計の断面図を示す。
【図７Ａ】内視鏡で使用するための使い捨て可能な空気／水弁の別の実施形態のダイヤフラムステム設計の斜視図を示す。
【図７Ｂ】内視鏡での使用に適した使い捨て可能な空気／水弁の実施形態のダイヤフラムステム設計の側面図を示す。
【図７Ｃ−７Ｄ】内視鏡での使用に適した使い捨て可能な空気／水弁の実施形態のダイヤフラムステム設計の断面図を示す。
【図７Ｅ】内視鏡で使用するための使い捨て可能な空気／水弁の実施形態のダイヤフラムステム設計の遠位端の底面図を示す。
【図７Ｆ】内視鏡で使用するための使い捨て可能な空気／水弁の実施形態のダイヤフラムステム設計の近位端の上面図を示す。
【図７Ｇ】内視鏡で使用するための図７Ｄの平面ＡＡに沿った使い捨て可能な空気／水弁の実施形態のダイヤフラムステム設計の断面図を示す。
【図８Ａ−８Ｃ】内視鏡内の空気／水弁の一般的な動作を示す。
【図９Ａ−９Ｃ】内視鏡内の使い捨て可能な空気／水弁の一般的な動作を示す。
【図１０】弁に潤滑剤を配置することを含む、使い捨て可能な空気／水弁の製造プロセスの実施形態を示す。
【図１１Ａ】内視鏡で使用するための使い捨て可能な吸引弁の別の実施形態のステムの斜視図を示す。
【図１１Ｂ】内視鏡での使用に適した使い捨て可能な吸引弁の実施形態のステムの側面図を示す。
【図１１Ｃ】内視鏡で使用するための使い捨て可能な吸引弁の実施形態のステムの近位端の上面図を示す。
【図１１Ｄ】内視鏡で使用するための使い捨て可能な吸引弁の実施形態のステムの遠位端の底面図を示す。
【図１１Ｅ】内視鏡で使用するための図１１Ｄの平面ＢＢに沿った使い捨て可能な吸引弁の実施形態のステムの断面図を示す。
【図１１Ｆ】図１１Ｅの細部Ｃの拡大図である。
【図１２Ａ】内視鏡で使用するための使い捨て可能な吸引弁の別の実施形態のステムの斜視図を示す。
【図１２Ｂ】内視鏡での使用に適した使い捨て可能な吸引弁の実施形態のステムの側面図を示す。
【図１２Ｃ】内視鏡で使用するための使い捨て可能な吸引弁の実施形態のステムの近位端の上面図を示す。
【図１２Ｄ】内視鏡で使用するための使い捨て可能な吸引弁の実施形態のステムの遠位端の底面図を示す。
【図１２Ｅ】内視鏡で使用するための図１２Ｄの平面ＢＢに沿った使い捨て可能な吸引弁の実施形態のステムの断面図を示す。
【図１２Ｆ】図１２Ｅの細部Ｃの拡大図である。
【図１３Ａ−１３Ｂ】例えば内視鏡などの医療器具内の使い捨て可能な吸引弁の一般的な動作の実施形態を示す。
【図１４】弁への潤滑剤の配置を含む、使い捨て可能な吸引弁の製造プロセスの実施形態のフローチャートを示す。
【図１５Ａ】内視鏡内の使い捨て可能な空気／水弁または使い捨て可能な吸引弁と共に使用するためのブーツの実施形態の斜視図を示す。
【図１５Ｂ】内視鏡内の使い捨て可能な空気／水弁または使い捨て可能な吸引弁と共に使用するためのブーツの別の実施形態の斜視図を示す。
【図１５Ｃ】内視鏡での使用に適した使い捨て可能な空気／水弁または使い捨て可能な吸引弁のブーツの実施形態の側面図を示す。
【図１５Ｄ】図１５Ｃの軸ＥＥに沿った内視鏡と共に使用するのに適した使い捨て可能な空気／水弁または使い捨て可能な吸引弁の実施形態のブーツの断面図を示す。
【図１５Ｅ】内視鏡と共に使用するのに適した使い捨て可能な吸引弁のブーツの実施形態の上面図を示す。
【図１６Ａ】使い捨て可能な空気／水弁または使い捨て可能な吸引弁と共に使用するためのキャップスナップの実施形態の斜視図を示す。
【図１６Ｂ】使い捨て可能な空気／水弁または使い捨て可能な吸引弁と共に使用するためのキャップスナップの実施形態の上面図を示す。
【図１６Ｃ】使い捨て可能な空気／水弁または使い捨て可能な吸引弁と共に使用するための図１６Ｂの軸ＡＡに沿った断面図を示す。
【図１６Ｄ】図１６Ｃの細部Ｃの拡大図である。
【図１６Ｅ】使い捨て可能な空気／水弁または使い捨て可能な吸引弁と共に使用するためのキャップスナップの実施形態の側面図を示す。
【図１６Ｆ】図１６Ｅの平面ＢＢに沿った断面図を示す。
【図１６Ｇ−１６Ｈ】使い捨て可能な空気／水弁または使い捨て可能な吸引弁と共に使用するためのキャップスナップの底面図の実施形態を示す。
【図１７Ａ】内視鏡での使用に適した使い捨て可能な空気／水弁の実施形態の斜視図を示す。
【図１７Ｂ】内視鏡で使用するための使い捨て可能な空気／水弁の実施形態の側面図を示す。
【図１７Ｃ】内視鏡で使用するための使い捨て可能な空気／水弁の実施形態の底面図を示す。
【図１７Ｄ】内視鏡で使用するための使い捨て可能な空気／水弁の実施形態のステムの側面図を示す。
【図１７Ｅ】内視鏡で使用するための使い捨て可能な空気／水弁の実施形態のステムの斜視図を示す。
【図１７Ｆ】内視鏡で使用するための使い捨て可能な空気／水弁の実施形態の構成要素の部分断面側面図を示す。
【図１７Ｇ】内視鏡で使用するための使い捨て可能な空気／水弁の実施形態の構成要素の部分側面図を示す。
【図１７Ｈ】内視鏡で使用するための使い捨て可能な空気／水弁の実施形態の構成要素の部分断面側面図を示す。
【図１７Ｉ−１７Ｊ】例えば内視鏡などの医療器具内の使い捨て可能な空気／水弁の一般的な動作の実施形態を示す。
【図１７Ｋ】製造中に型に配置された内視鏡で使用するための使い捨て可能な空気／水弁の実施形態の構成要素の側面図を示す。
【発明を実施するための形態】
【００２９】
図は一定の縮尺で描かれていないことを理解されたい。さらに、図中の物体間の関係は原寸に比例していない場合があり、実際にはサイズに関して逆の関係である場合がある。図は、示される各物体の構造を理解し、明確にすることを目的としているため、構造の特定の特徴を示すために、一部の特徴が誇張されている場合がある。
【００３０】
本明細書および添付の特許請求の範囲の目的のために、別段の指定がない限り、成分の量、材料のパーセンテージまたは比率、反応条件、および本明細書および特許請求の範囲で使用される他の数値を表すすべての数は、すべての場合において、「約」という用語によって修飾されることを理解されたい。したがって、反対に示されない限り、以下の明細書および添付の特許請求の範囲に示される数値パラメータは、本発明によって得られることが求められる所望の特性に応じて変動し得る近似値である。少なくとも、そして均等論の適用を請求項の範囲に限定しようとするものではなく、各数値パラメータは少なくとも、報告された有効数字の数を考慮して、通常の丸め手法を適用することによって解釈されるべきである。
【００３１】
本開示の目的のために、「有効量」または「治療有効量」という語句は、表面上の組成物と接触する微生物に殺菌または微生物増殖効果を誘発するのに十分な用量として定義される。
【００３２】
本明細書に示される数値範囲およびパラメータにもかかわらず、本発明の広い範囲は近似であり、特定の実施例に示される数値は、可能な限り正確に報告される。しかしながら、どの数値にも、それぞれの試験測定で見られる標準偏差から必然的に生じる特定の誤差が本質的に含まれている。さらに、本明細書に開示されるすべての範囲は、そこに包含されるありとあらゆる部分範囲を包含すると理解されるべきである。例えば、「１〜１０」の範囲には、１の最小値と１０の最大値の間（それらの値を含む）のありとあらゆる部分範囲が含まれる。すなわち、１以上の最小値と１０以下の最大値を有するありとあらゆる部分範囲、例えば５．５〜１０が含まれる。
【００３３】
次に、本発明の特定の実施形態を詳細に参照し、その例は添付の図面に示されている。本発明は、例示された実施形態に関連して記載されるが、それらは、本発明をそれらの実施形態に限定することを意図していないことが理解されるであろう。それどころか、本発明は、添付の特許請求の範囲によって定義されるように、本発明内に含まれ得るすべての代替物、修正物、および均等物を網羅することを意図している。
【００３４】
本明細書および添付の特許請求の範囲で使用される場合、単数形「ａ」、「ａｎ」および「ｔｈｅ」は、明確かつ明らかに１つの指示対象に限定されない限り、複数の指示対象を含むことに留意されたい。したがって、例えば、「シール（ａ  ｓｅａｌ）」への言及は、１つ、２つ、３つ、またはそれ以上のシールを含む。
【００３５】
ここで図面を参照するが、描かれた要素は必ずしも一定の縮尺で示されているわけではなく、同様または類似の要素は、いくつかの図を通して同じ参照番号で指定されている。
【００３６】
一般に図面を参照すると、これらの図は本開示の特定の実施形態を記載するためのものであり、それに限定することを意図していないことが理解されよう。
【００３７】
本明細書で使用される用語のほとんどは当業者に認識可能であるが、明確に定義されていない場合、用語は当業者によって現在受け入れられている意味を採用すると解釈されるべきであることが理解されるべきである。
【００３８】
内視鏡と共に使用するための使い捨て可能な弁アセンブリ
内視鏡を汚染するリスクを低減または排除し、患者に感染するリスクを低減または排除する、新しい使い捨て可能な内視鏡弁および方法が提供される。改善されたシールを提供することによって使い捨て可能な弁がよりよく機能することを可能にする新しい使い捨て可能な内視鏡弁および方法が提供される。いくつかの実施形態では、使い捨て可能な弁は、弁チャンバまたはチャネルへのより均一なフィット、ならびに空気および水のより良好な吸引および／または流れを可能にする潤滑剤を含む。本明細書では、内視鏡と共に使用するように構成された使い捨て可能な弁アセンブリの様々な実施形態が、その製造プロセスを含めて考察されている。新しい使い捨て可能な内視鏡弁は、いくつかの実施形態では、潤滑剤を有するか、または潤滑剤の代替として、潤滑剤に配置されるか、使い捨て可能な弁にコーティングされた抗菌剤を有することができ、または抗菌剤は使い捨て可能な弁と一緒に作られ、それと一体化することができる。
【００３９】
特定の実施形態では、本開示は、内視鏡と共に使用するように構成された使い捨て可能な弁アセンブリを提供し、これは以下のものを備える：ステムの長手方向軸に沿って配置された第１の開口部を備えるステム；ばね支柱；ばね支柱はステムを受け入れ、ばね支柱に対して上方および下方の位置にあるステムの移動を可能にするように構成された開口部を備える；ばね支柱およびステムに接触するように構成されたばね；および、ステム、ばね支柱またはばねの少なくとも１つに配置される潤滑剤。他の実施形態では、内視鏡と共に使用するように構成された使い捨て可能な弁アセンブリは潤滑剤を含まず、代わりに、ステム、ばね支柱、またはばねの少なくとも１つに配置された抗菌剤を含む。他の実施形態では、弁アセンブリは、潤滑剤を含むことができ、および／または（ｉ）弁アセンブリのモールディング、（ｉｉ）弁アセンブリのステム、ばね支柱またはばねの少なくとも１つに配置されたコーティング、または（ｉｉｉ）潤滑剤またはそれらの組み合わせの中に抗菌剤をさらに含むことができる。
【００４０】
様々な実施形態において、本開示に記載される使い捨て可能な弁アセンブリでは、（ｉ）潤滑剤は、シリコーンベースのグリース、非シリコーンベースのグリース、またはそれらの組み合わせを含み得る；および／または（ｉｉ）抗菌剤は、抗生物質、防腐剤、抗ウイルス剤、抗真菌剤、消毒剤、シラン、またはそれらの組み合わせである。様々な実施形態において、抗菌剤は、ミノサイクリン、ゲンジン（ｇｅｎｄｉｎｅ）、ゲンレノール（ｇｅｎｌｅｎｏｌ）、ゲンロサン（ｇｅｎｌｏｓａｎ）、ゲンフォクトール（ｇｅｎｆｏｃｔｏｌ）、アミノグリコシド、ベータラクタム、キノロン、フルオロキノロン、マクロライド、スルホンアミド、スルファメタキソゾール、テトラサイクリン、ストレプトグラミン、オキサゾリジノン（リネゾリド）、クリンダマイシン、リンコマイシン、リファマイシン、グリコペプチド、ポリミキシン、リポペプチド抗生物質、薬理学的に許容可能なナトリウム塩、薬理学的に許容可能なカルシウム塩、薬理学的に許容可能なカリウム塩、および脂質製剤を含む。
【００４１】
他の実施形態では、本開示に記載する使い捨て可能な弁アセンブリは、ばね支柱およびステムに取り付けられるように構成されたブーツであって、ステムが下方位置に移動したときにステムに接触するように構成されたブーツ；ステムの第１の開口部に配置され、第１の開口部からの空気の通過を防ぐように構成されたステムインサートをさらに含み、潤滑剤は、ステム、ばね支柱、ばね、ステムインサートまたはブーツの少なくとも１つに配置されている。さらに他の実施形態では、ステムはさらに第２の開口部を含み、第２の開口部は第１の開口部に対して横向きに配置され、第１および第２の開口部は空気および／または流体の通過を可能にするためのものであり、ばね支柱の開口部はばね支柱の中心に配置され、ばね支柱はばねの第１の端部を受容するための棚状の突起を含み、ステムはばねの第２の端部を受容するための棚状の突起を含む。
【００４２】
特定の実施形態では、（ｉ）ステムは近位端を有し、ステムはさらに、ステムの周囲に配置された複数の隆起および溝を含み、複数の隆起および溝はステムとモノリシックであり、複数のシールがステムの溝に配置され、ステムは近位端に配置されかつステムの長手方向軸に沿って延びる第１の開口部と；ステムに接触してステムの周りに配置された保持リングと；ステムの近位端に接触するボタンヘッドまたはボタンキャップと、保持リングおよびボタンヘッドまたはボタンキャップに接触する弾性部材とを備え、ボタンヘッドまたはボタンキャップに下向きの力を加えると、ステムが下方位置に移動され；（ｉｉ）支柱、ブーツ、および／またはボタンキャップがステムの近位端に取り付けられ、弾性部材が支柱、ブーツ、および／またはボタンキャップに接触し、下方向への弾性部材の動きがステムを下方位置へ移動し；または（ｉｉｉ）支柱はダイヤフラムと弾性部材に接触する部分で構成され、支柱はステムの中心に配置され、弾性部材は支柱とボタンキャップに接触するばねを含み、ボタンキャップはステムの近位端に配置される。
【００４３】
他の態様では、（ｉ）ばね支柱は、ステムに取り付けるように構成された少なくとも１つの凹部および／または突起をさらに含み、ステムは、下向きの押圧力を加えると下方位置に移動可能であり；または（ｉｉ）ばね支柱の少なくとも１つの凹部および／または突起は、ステムをばね支柱にロックするように構成された切り欠きを備える。
【００４４】
特定の実施形態では、本開示に記載の使い捨て可能な抗菌弁アセンブリでは、（ｉ）ステムは、一端に複数の点を含み、反対側の端部の上部またはボタンヘッドが指と接触するように構成され；（ｉｉ）ステムは、医療器具の吸引ポート内の適切なシールを確実にするためのシール部材を含む突起を備え；（ｉｉｉ）ステムは、内視鏡の吸引ポート内の適切なシールを確実にするためにステムに取り付けられたＯリングを含み；または（ｉｖ）ステムおよびばね支柱は熱可塑性材料を含む。他の実施形態では、（ｉ）ステムの第１の開口部がステムの第２の開口部に接触し、ステムが下方向に押されると、第２の開口部は内視鏡の吸引チャネルと整列し、空気および／または流体が吸引接続部へ通過することを許容する。
【００４５】
さらに他の実施形態では、本開示に記載の使い捨て可能な弁アセンブリにおいて、（ｉ）ステムは、熱可塑性材料と、第１の開口部に対して横方向に配置された第２の開口部とを含み、第１および第２の開口部は互いに交差し、ステムの少なくとも一部を通る空気および／または流体の通過を許容するように構成され、第１および第２の開口部は互いに交差し；および／または（ｉｉ）ボタンキャップは、ステムの第１の開口部内に延びるベントを備える。
【００４６】
使い捨て可能な空気／水弁
図１Ａおよび１Ｂは、内視鏡と共に使用するための使い捨て可能な空気／水および吸引弁の例示的な実践形態の正面図である。図２Ａ、２Ｂ、３Ａ、３Ｂ、４Ａおよび４Ｂは、内視鏡と共に使用するための使い捨て可能な空気／水および吸引弁の斜視図である。
【００４７】
図１Ａ、２Ａ、３Ａおよび４Ａを参照すると、使い捨て可能な空気／水弁１００は主な構成要素として、すべて長手方向軸ＡＡに沿って配置された、主ステム１０１、ボタンヘッドまたはキャップ１０２、ブーツ１０４、弾性部材またはばね（図示せず）およびガスケットまたはシール１６４、１６６、１６８、１７０、１７２、１７４を有する。弾性部材の例は、図９Ａの４１２のばねとして示されている。空気／水弁にはいくつかの実践形態があるため、本出願において、同一の要素は括弧内で言及される。さらに、１つの要素への言及は、すべての同一の使い捨て可能な空気／水弁要素に等しく当てはまる。図５Ａ、６Ａおよび７Ａを参照すると、主ステム１０１（１０１ａ、１０１ｂ）はモノリシック（例えば、単一部品）である。ステム１０１は、ガスケット表面１５０、１５２、および１５６と、ステムの一部として成形された溝１５４、１５８、１６０、および１６２と、開口端１４２の周りに配置された近位端１３５とを有する。他の実践形態では、主ステム１０１ａおよび１０１ｂもモノリシックであり、ガスケット面１５０ａ、１５２ａ、１５６ａ、溝１５４ａ、１５８ａ、１６０ａ、１６２ａ、ガスケット面１５０ｂ、１５２ｂ、１５６ｂ、および溝１５４ｂ、１５８ｂ、１６０ｂおよび１６２ｂを有する。主ステム１０１ａおよび１０１ｂは、ガスケット１６４ａ、１６６ａ、１６８ａ、１７０ａ、１７２ａ、１７４ａ、１７６ｂ、１７８ｂ、１６４ｂ、１６６ｂ、１６８ｂ、１７０ｂ、１７７２ｂ、１７４ｂを有する。いくつかの実施形態では、ガスケットは、空気／水をよりよく制御するためのミニシールを提供する。図１Ｂに示す使い捨て可能な吸引弁のステムは、主ステムを横切る開口部５１４を有することができる。開口部５１４は、主ステムの中間セクション５７０に配置される。溝５２４に隣接するのは表面５２６であり、これは使い捨て可能な弁の端縁５９０でガスケットまたはシール５２０および５２２に隣接する。
【００４８】
使い捨て可能な空気／水弁１００はまた、アライナ１１４、１１６、１１８および１９０（１１４ａ、１１６ａ、１１８ａ、１２０ａ、１１４ｂ、１１６ｂ、１１８ｂ、１９０ｂ）を含む。ステム１０１（１０１ａ、１０１ｂ）は、横穴１８０（１８０ａ、１８０ｂ）をさらに含む。これらの隆起および／または溝は剛性であるか、または可撓性であることができる。図示の実施形態では、隆起および／または溝に起因して、主ステムは様々な直径を有し、ここで、直径は隆起によってより大きく、直径は溝によってより小さい。この構成により、ガスケットまたはシールを溝に挿入またはオーバーモールドすることを可能になる。
【００４９】
隆起および／または溝の多くは別々に製造され、しばしば金属を含むステムとは異なる材料を含むので、モノリシックではない使い捨て可能ではない空気／水弁とは異なり、使い捨て可能な空気／水弁のモノリシックなステム（ワンピース）は、ステムと同じ材料であり得る複数の隆起および溝を備えている。いくつかの実施形態では、ガスケットまたはシール１６４〜１７８は、ステム１０１の溝の中に設置することができる。
【００５０】
本出願の器具の１つまたは複数の構成要素（例えば、ガスケットまたはシール１６４〜１７８（１６４ａ〜１７８ａ、１６４ｂ〜１７８ｂ）、ステム１０１（１０１ａ、１０１ｂ）、支柱２００、ブーツ１０４、弾性部材（例えば、ばね、ゴム、弾性体、その他）（図示せず）およびボタンキャップ１０２は、例えば熱可塑性材料などの適切な材料から作製することができる。弾性部材の例は、図９Ａの４１２にばねとして示されている。
【００５１】
適切な材料には、ポリウレタン、ポリ尿素、ポリエーテル（アミド）、ＰＥＢＡ、熱可塑性エラストマーオレフィン、コポリエステル、スチレン系熱可塑性エラストマー、炭素繊維、ガラス繊維、セラミック、メタクリレート、ポリ（Ｎ−イソプロピルアクリルアミド）、ＰＥＯ−ＰＰＯ−ＰＥＯ（プルロニクス）、ゴム、プラスチック（例えば、ポリカーボネート）、ＡＢＳ、ＭＡＢＳ、シリコーンまたはそれらに類するもの、あるいはそれらの組み合わせが含まれるが、これらに限定されない。図１Ａ〜７Ｇ、１５Ａ〜１６Ｇはまた、弁１００上または少なくともステム１０１（１０１ａ、１０１ｂ）上に配置され得る潤滑剤１０００を示す。潤滑剤１０００はまた、支柱またはばね支柱２００およびばね上に配置することができる。いくつかの実施形態では、潤滑剤１０００はまた、抗菌剤を含む。いくつかの実施形態では、使い捨て可能な空気／水弁１００は、ステム、ばね支柱、シール、および／またはばねの一部として抗菌剤を含むことができる。抗菌剤は、構成要素上のコーティングであり得るか、またはステム、ばね支柱、シール、および／またはばねが作られる材料中に均一に配置され得る。
【００５２】
ステム１０１（１０１ａ、１０１ｂ）は、正確さと剛性のために１つの部品に精密成形される。ステム１０１（１０１ａ、１０１ｂ）は、製品を空気／水弁として識別するために色分けされていてもよい。ステム１０１の色分けにより、空気／水弁を簡単に識別することができる。さらに、色分けはまた、使い捨て可能な空気／水弁を使い捨て可能な弁として識別する。いくつかの実施形態では、色分けは、特定の部品がどの内視鏡と適合性があるかを識別することができる。ステム１０１は、ガスケットまたはシール１６４〜１７８（図１Ａ〜７Ｇ）をステム１０１上の所望の位置に維持するためのいくつかのガスケット、ガスケット表面またはシール保持領域または溝１５０〜１５８を提供する。ステム１０１（１０１ａ、１０１ｂ）はまた、開口端１４２（１４２ａ、１４２ｂ）の周りに配置された近位端１３５（１３５ａ、１３５ｂ）を含む。近位端１３５に、ステム１０１は、第１の開口部１４２を含む。保持領域または溝のような隆起１２４、１２６、１２８、１３０、１３２、１３３、および１９０は、ステム１０１の一部として成形される。図１Ａ〜７Ｇのガスケットまたはシール１６４〜１７８は、ステム１０１（１０１ａ、１０１ｂ）にオーバーモールドされるか、または適切に別の方法でステム１０１（１０１ａ、１０１ｂ）に固定されてもよい。ステムにシールをオーバーモールドすることにより、組み立て中にシールを裂いたり損傷したりする可能性があるシールをステム１０１にスライドさせる必要がなくなる。内視鏡の空気／水弁の操作について、以下でさらに詳述する。
【００５３】
図５Ａ、６Ａおよび７Ａは、内視鏡と共に使用するための使い捨て可能な空気／水弁１００の異なる実施の斜視図である。図５Ｂ〜５Ｈ、６Ｂ〜６Ｇおよび７Ｂ〜７Ｇは、空気／水弁１００の断面図、底面図、上面図および詳細図である。すべての実践態様において、空気／水弁はガスケットを含み、弁１００において、ディスクおよび／またはガスケット１２０は、傘形弁として成形されている。ステム１０１ａにおいて、ダックビル弁１８２が、ディスク１９０ａ内に受容されるように構成され、ステム１０１ｂにおいて、ダイヤフラム弁が、ディスク１９０ｂ内に受容される。
【００５４】
傘形状のガスケット１２０は、傘形状のシールディスクであるエラストマー弁部品である。このエラストマー部品は、弁などの逆流防止装置のシール要素として使用することができる。シートに取り付けられたとき、凸状の傘形状のディスク１２０は、弁シートに対して平らになり、特定の量のシートの不規則性を吸収し、一定のシール力を生み出す。傘形のシールディスクは、ヘッドの圧力が凸状ダイヤフラムをシートから持ち上げるのに十分な力を生み出すと、順方向の流れを許容する。結果、それは一方向の所定の圧力の流れを許容し、反対方向の逆流をすぐに阻止する。
【００５５】
図５Ｂおよび５Ｄは、空気／水弁のステムの側面図である。図５Ｃは、溝１５４、アライナ１１４、１３０、１７２および１９０、ガスケット１６４、１６６、１６８、１７０、１７２および１７４、隆起１１６、１１８および１３４、ならびに横穴１８０を示すステム１０１の図である。切り欠き２２０、２２２および２２４は弁ゲートであり、ステム１０１が射出成形により製造されるときはいつでも、それを介してプラスチック（例えば、ポリカーボネート）の流れをより正確に制御することができる。いくつかの実施形態では、切り欠きはエジェクタピンマークである。図５Ｅ、５Ｇおよび５Ｈは、傘形状のディスク１２０に関するさらなる詳細を示す。図５Ｅは、傘形ディスク１２０の細部２３０を示すステム１０１の遠位端の底面図である。図５Ｇは、図５ＤのＡＡ面に沿ったステム１０１の断面図である。図５Ｈは、図５Ｇの細部Ｂの拡大図を提供する。細部Ｂは、アライナ１９０に対するディスク１２０の位置を示す。いくつかの実施形態では、ガスケット１２０は、ステムの軸に対して約１４０°であり、ガスケット１２０は、約６°のテーパを有する。図５Ｈの結果として得られる設計は、信頼性の高いシールを提供し、空気／水弁の逆流を防止し、患者への一方向のみの二酸化炭素および／または空気を可能にする。
【００５６】
図６Ａは、使い捨て可能な空気／水弁用のステムの斜視図であり、図６Ｂは、使い捨て可能な空気／水弁用のステムの側面図である。図６Ｃおよび６Ｄは、溝１５４ａ、アライナ１１４ａ、１１６ａ、１３０ａ、１３４ａおよび１９０ａ、ガスケット１６４ａ、１６６ａ、１６８ａ、１７０ａ、１７２ａ、１７４ａ、１７６および１７８、隆起、ならびに横穴１８０ａを示すステム１０１ａの透視図である。切り欠き２２０ａ、２２２ａ、および２２４ａは、ステム１０１ａが射出成形によって製造されるときはいつでも、それを介してプラスチック（例えば、ポリカーボネート）の流れをより正確に制御することができる弁ゲートである。いくつかの実施形態では、切り欠きはエジェクタピンマークである。図６Ａおよび６Ｄは、閉位置にあるダックビル１８２を示す。図６Ｃおよび６Ｇは、ダックビル１８２が圧入されるか、または接着剤によってステムに取り付けられ得るレセプタクル１８４を示す。図６Ｅおよび６Ｇは、ダックビルステム設計のディスク１９０ａに関するさらなる詳細を示す。図６Ｅは、ダックビルステム設計のディスク１９０ａの細部２３０ａを示す、ステム１０１ａの遠位端の底面図である。図６Ｇは、図６ＤのＡＡ面に沿ったステム１０１ａの断面図である。流体がダックビルを介してポンプで送られると、ダックビルの平らな端部が開いて、加圧流体が通過できるようになる。しかしながら、流体圧力が取り除かれると、ダックビルは元の平らな形状に戻り、逆流を防ぐ。傘形設計と同様に、ステム１０１ａのダックビル設計は信頼性の高いシールを提供し、空気／水弁の逆流を防ぎ、患者への二酸化炭素または空気の一方向の流れを可能にする。
【００５７】
図７Ｂは、使い捨て可能な空気／水弁ステムの側面図である。図７Ｃおよび７Ｄは、溝１５４ｂ、アライナ１１４ｂ、１１６ｂ、１３０ｂ、１３４ｂおよび１９０ｂ、ガスケット１６４ｂ、１６６ｂ、１６８ｂ、１７０ｂ、１７２ｂ、１７４ｂ、１７６ｂおよび１７８ｂ、ならびに横穴１８０ｂを示すステム１０１ｂの透視図である。切り欠き２２０ｂ、２２２ｂ、および２２４ｂは弁ゲートであり、射出成形によってステム１０１ｂが製造されるときはいつでも、これを介してプラスチック（例えば、ポリカーボネート）の流れをより正確に制御することができる。いくつかの実施形態では、切り欠きはエジェクタピンマークである。図７Ｃ、７Ｄおよび７Ｇは、ステム１０１ｂのダイヤフラム設計のディスク１９０ｂに関するさらなる詳細を示す。これらの図は、レセプタクル１８８に圧入することができる、または接着剤によってステムに接着することができるダイヤフラム１８６を示している。図７Ｅは、ステム１０１ｂの遠位端の底面図である。図７Ｆは、ステム１０１ｂの近位端の上面図である。図７Ｇは、図７ＤのＡＡ面に沿ったステム１０１ｂの断面図である。ステム１０１ｂのダイヤフラム設計は、信頼性の高いシールを提供し、空気／水弁の逆流を防止し、患者への一方向のみの二酸化炭素空気を可能にする。
【００５８】
図８Ａ、８Ｂおよび８Ｃは、内視鏡における空気／水弁の動作の例示的な実践形態である。なお、図８Ａ〜８Ｃを参照した考察は一般的な空気／水弁を対象とし、それは図５Ａに示される弁１００および図６Ａおよび７Ａに示されるようなステム１０１ａまたは１０１ｂを有する他の空気／水弁の実施形態を含むことができる。この考察は、富士フィルム（商標）内視鏡を含む内視鏡で空気／水弁が一般にどのように動作するかの説明を提供するに過ぎない。
【００５９】
図８Ａでは、空気／水弁３００は、内視鏡の空気／水シリンダ内に配置され、非作動位置で示されている。内視鏡は、空気用の空気チャネル３０２および水用の水チャネル３０８を提供する。空気チャネル３０２および水チャネル３０８は、水ボトル３１０に接続される。水チャネル３０８は、水ボトル３１０に含まれる流体内に延びる。空気／水弁３００が内視鏡の空気／水シリンダ内に配置されると、空気／水弁３００は空気チャネル３０２および水チャネル３０８内を通過する。矢印で示される空気流（エアポンプ等によって提供される）は、水ボトル３１０および空気チャネル３０２に流入し得る。しかしながら、水ボトル３１０はシールされ、水チャネル３０８は空気／水弁３００によって遮断されているため、空気は空気チャネル３０２を下って空気／水弁３００に向かって流れる傾向がある。空気ベントが覆われていない非作動位置では、空気／水弁３００は空気がベントから逃げることを可能にする。例えば、使い捨て可能な空気／水弁１００では、空気は、ステム１０１の内部ボアを通ってステム１０１の第１の開口部１４２に流れ込み、使い捨て可能な空気／水弁１００の近位端１３５から出る。なお、図１Ａの使い捨て可能な空気／水弁１００は、空気または水が空気チャネル３０２または水チャネル３０８から漏れることを防止するいくつかのガスケットまたはシール１６４、１６８、１７０、１７２および１７４を提供することに留意されたい。空気／水弁３００の開口部３０６は、水チャネル３０８と整列しておらず、水チャネル３０８は遮断されているので、水ボトル３１０から離れる水の動きはない。
【００６０】
図８Ｂにおいて、内視鏡の空気／水シリンダ内の空気／水弁３００は非作動位置で示され、ベントは操作者の指３０４等によって塞がれている。水ボトル３１０がシールされ、水チャネル３０８が空気／水弁３００によって遮断されているため、空気は空気チャネル３０２を下って空気／水弁３００に向かって流れる傾向がある。しかしながら、空気／水弁３００の空気ベントが操作者３０４によって塞がれている場合、空気は流れ、空気／水弁３００を通過して内視鏡の遠位端に向かって押される。これにより、操作者は、弁を作動させることなく、空気／水弁３００の空気ベントを塞ぐことにより、体腔にガスを注入することが可能になる。図８Ｂにおいて、空気／水弁３００の開口部３０６は遮断されて示されている。
【００６１】
図８Ｃでは、空気／水弁３００は作動位置で示されている。空気／水弁３００が作動されると、空気／水弁３００内の弾性部材（例えば、ばね、ゴム、弾性体、その他）は圧縮され、空気チャネル３０２は空気／水弁３００によって遮断される。しかしながら、空気／水弁３００を作動すると、空気／水弁３００の開口部３０６は水チャネル３０８に移動し、それにより流体が空気／水弁３００を通過するための通路が作り出される。空気チャネル３０２は操作者３０４によって遮断され空気／水弁３００を押し下げるので、空気は水ボトル３１０に流入する。水ボトル３１０内の空気圧が上昇すると、流体は水ボトル３１０から水チャネル３０８に押し込まれる。空気／水弁３００を作動させることにより、操作者３０４は、すすぎ、潅流等のために内視鏡の遠位端に向かって水を流す。
【００６２】
図９Ａ、９Ｂおよび９Ｃは、内視鏡内の使い捨て可能な空気／水弁４００の動作の例示的な実践形態である。図９Ａでは、使い捨て可能な空気／水弁４００は、非押し下げ位置、すなわち非作動位置で示されている。ガスケットまたはシール４０２、４０４、４０６、および４０８は、空気がシール４０６と４０８の間のチャンバから漏れるのを防止する。空気／水弁の近位端と中央ボアの近位端は、キャップ４１４に隣接しており、空気が弁を離れることを可能にする開口部を有する。開口部は、図示されるように、空気が使い捨て可能な空気／水弁４００の中央ボアを通って逃げることを可能にする。シール４０６と４０８の間の、弁の遠位端近くの第２の開口部４１０は、中央ボアに沿った長手方向軸を横切っており、空気が弁に入ることを可能にする。使い捨て可能な空気／水弁４００はまた、ばね４１２、キャップ４１４、およびステム４１６を提供する。ステム４１６の一部を取り囲むばね４１２は、キャップ４１４の下に配置される。
【００６３】
図９Ｂは、操作者が使い捨て可能な空気／水弁４００の上面に指を置いて空気が逃げるのを防ぐと、シール４０６と４０８の間のチャンバ内の圧力が上昇することを示す。操作者が使い捨て可能な空気／水弁４００の上面からの空気流を実質的に遮断することによって十分なシールを作り出した場合、シール４０８の壁は、空気がシールを通過して流れることができるようにつぶれる。シール４０６は、内視鏡の空気／水シリンダを通して空気が漏れることを防止する。その結果、空気は出口を通って患者に逃げることしかできない。
【００６４】
シール４０４および４０６は、非作動位置にある使い捨て可能な空気／水弁４００を通過して水が漏れることを防止する。シール４０４は、水入口を水出口から分離する。先に押し下げた使い捨て可能な空気／水弁４００からの残留水は、シール４０２と４０４との間に残る場合があることに留意されたい。シール４０２は、残留水が内視鏡の空気／水シリンダの上方に漏れることを防止する。
【００６５】
図９Ｃでは、使い捨て可能な空気／水弁４００は、内視鏡の空気／水シリンダ内で押し下げられている。シール４０６および４０８は、空気出力からの空気（例えば、患者からの空気）が内視鏡に逆流するのを防ぐ。シール４０６および４０８は、空気入力からの空気がシール４０６と４０８の間のチャンバから逃げるのを防止する。また、操作者の指が使い捨て可能な空気／水弁４００の中央ボアを通る空気の流れを遮断していることにも留意されたい。押し下げられた位置において、シール４０４は、水入力と水出力をもはや分離しない。水入力からの水は、シール４０２と４０４の間の領域を満たし、患者への水出力を作動させるか、または水が患者に流れ出る（または供給される）ことを可能にする。シール４０２および４０４は、水が内視鏡の空気／水シリンダの上方に漏れることを防止する。
【００６６】
空気／水弁は内視鏡と共に使用するように設計されているが、他の医療器具を本空気／水弁またはアセンブリと共に使用できることが理解されよう。これらの器具には、例えば、胃鏡、結腸鏡、腹腔鏡、気管支鏡、または空気および／または水の使用を必要とするカメラを備えたあらゆる医療器具が含まれる。
【００６７】
図１０は使い捨て可能な空気／水弁の製造プロセスのフローチャートである。製造プロセスの第１のステップＳ１００は、プラスチック、高分子材料、または任意の他の適切な材料などの適切な材料からステムを成形することである。ステムを成形し、より低コストの材料を使用すると、再利用可能な空気／水弁で使用される金属と比較して、大幅なコスト削減が実現する。さらに、図１Ａ、５Ａ、６Ａおよび７Ａのステム１０１（１０１ａ、１０１ｂ）は、再利用可能な空気／水弁のステムアセンブリのように、組み立てる必要がない単一の部品であり、それにより、組み立てコストが削減される。例えば、ステム１０１（１０１ａ、１０１ｂ）は、ステム１０１の一部として成形されるガスケット表面および溝１５０、１５２、１５４、１５６、および１５８ならびに隆起１２６、１２８、１３０、１３２、および１３４を有するモノリシック（例えば、単一部品）である。ステム１０１（１０１ａ、１０１ｂ）はまた、開口端１４２（１４２ａ、１４２ｂ）を含む。これらの隆起および／または溝は剛性であるか、または可撓性であることができる。
【００６８】
隆起および／または溝の多くが別々に成形され、金属であるステムとは異なる材料を含むので、モノリシックではない非使い捨て可能な空気／水弁とは異なり、モノリシックステム（ワンピース）は、いくつかの実施形態ではステムと同じ材料である複数の隆起および溝を含む。
【００６９】
ボタンキャップ１０２および支柱２００も、ステップＳ１１０およびＳ１２０で成形される。ブーツ１０４は、ステップＳ１３０において、支柱２００上にオーバーモールドされ得る。さらに、他の実践形態では、ブーツ１０４は、別個に成形され、組み立て中に支柱２００に単に配置されてもよい。しかしながら、ステム１０１とは対照的に、ボタンキャップ１０２と支柱２００／ブーツ１０４は、製造プロセスの後の段階まで必要とされない。その結果、点線は、ステップＳ１１０、Ｓ１２０、およびＳ１３０が製造プロセスの様々な時点で起こり得る可能性があることを示している。ブーツ、ボタンキャップ、支柱はステムに比べて比較的単純であるため、ブロー成形、オーバーモールディング、射出成形、鋳造、機械加工、打抜き、または任意の他の適切な製造プロセスなど、ステム１０１に適さない可能性がある追加の製造プロセスを使用して製造されてもよい。
【００７０】
いくつかの実施形態では、使い捨て可能な空気／水弁が組み立てられると、ステップＳ１０００において、潤滑剤１０００が、空気／水弁アセンブリのステム、ばね、および／またはばね支柱に塗布され得る。他の態様では、使い捨て可能な弁の製造方法は、ばね支柱のタブをステムの窪んだ開口部に配置すること、およびばね支柱上にブーツをオーバーモールドすること、またはばね支柱の上にブーツをオーバーモールドすることをさらに含み、ここで、（ｉ）ステムは色分けされ、（ｉｉ）ブーツのシール用棚状突起は、ステムのボタンヘッドに対するシールを形成し、（ｉｉｉ）ステムは、Ｏリングまたは代替のシール装置を提供して、吸引ポート内の気密シールを確保し、（ｉｖ）ステムは、吸引ポートまたはステム内の気密シールを確実にするためのシール手段を提供し、（ｖ）ステムは、吸引ポート内の気密シールを保証する直径を有し、（ｖｉ）ステムの長さは低減され、または（ｖｉｉ）潤滑剤は抗菌剤を含む。
【００７１】
ステム１０１は、ステップＳ１４０において、ガスケットまたはシール１２０、１６４、１６６、１６８、１７０、１７２および１７４をオーバーモールドするのに適した型に配置され得る。例えば、いくつかの実施形態では、ステムは、クラムシェルのような型に配置され得、ガスケット１２０、１６４、１６６、１６８、１７０、１７２、および１７４を形成するために利用される材料が、型に注入され得る。型は、シール保持領域、ガスケット表面または溝１５０、１５２、１５４、１５６および１５８において図１Ａのガスケットまたはシール１２０、１６４、１６６、１６８、１７０、１７２および１７４を形成する。
【００７２】
本出願のガスケットまたはシールは、ゴム、１つまたは複数のポリマー材料、または任意の他の適切な材料から作製することができる。シールは、使い捨て可能な空気／水弁１００が使用されているときに適切なシールを提供するために、柔軟な材料から作製することが好ましい。ステップＳ１１０、Ｓ１２０、およびＳ１３０に関して前述したように、ブーツ、ボタンヘッドまたはキャップ、および支柱は、製造プロセスの様々な段階で成形することができる。しかしながら、各構成要素は、それらが具体的に必要とされるステップの前に作製されなければならないことに留意されたい。例えば、図１５Ａおよび１５Ｂの支柱２００（２００ａ、２００ｂ）は、製造プロセスにおいてステップＳ１５０で必要となるため、ステップＳ１５０の前に成形されなければならない。同様に、図１Ａおよび１６Ａのボタンキャップ１０２はステップＳ１６０に進む前に必要であり、図１Ａおよび１５Ａのブーツ１０４は、ステップＳ１３０に進む前に必要である。
【００７３】
ステップＳ１５０において、ステム１０１の図５Ａ、６Ａおよび７Ａの開口端１４２（１４２ａ、１４２ｂ）が、支柱２００（２００ａ、２００ｂ）のダイヤフラムの開口部を通して、および示されていない弾性部材（例えば、ばね、ゴム、弾性体、その他）を通して配置される。次に、ステップＳ１６０において、ボタンキャップ１０２が、ステム１０１（１０１ａ、１０１ｂ）の近位端１３５（１３５ａ、１３５ｂ）上に配置され、ステム１０１（１０１ａ、１０１ｂ）に固定され得る。例えば、使い捨て可能な空気／水弁１００を取り付けて（例えば、スナップ嵌め、接着剤、グルー、成形、オーバーモールディング、ＵＶ光による硬化、溶接、超音波溶接、またはそれらに類するもの、あるいはそれらの組み合わせ）、ボタンキャップ１０２およびガスケットまたはシール１６４、１６６、１６８、１７０、１７２、および１７４（１６４ａ、１６６ａ、１６８ａ、１７０ａ、１７２ａ、１７４ａ、１７６、１７８、１６４ｂ、１６６ｂ、１６８ｂ、１７０ｂ、１７２ｂ、１７４ｂ、１７６ｂ、１７８ｂ）を固定することができる。他の実践形態では、ボタンキャップ１０２は、任意の取り付け手段（例えば、スナップ嵌め、接着剤、グルー、成形、オーバーモールディング、ＵＶ光による硬化、溶接、超音波溶接、機械的取り付け、またはそれらに類するもの、あるいはそれらの組み合わせ）を使用して、ステム１０１（１０１ａ、１０１ｂ）に固定して、使い捨て可能な空気／水弁１００の組立てを完了してもよい。
【００７４】
図１７Ａは、内視鏡と共に使用するための使い捨て可能な空気／水弁１７００の異なる実施形態を示している。図１７Ａ、Ｂ、Ｃ、ＤおよびＥは、空気／水弁１７００の斜視図、側面図、底面図である。すべての実践形態において、空気／水弁はガスケットを含むが、弁１７００では、ディスクおよび／またはガスケットはくぼみ１７２２を有する。いくつかの実施形態では、くぼみは、流体の流れを改善し、および／または流体の流れ（例えば、空気の流れ）を近位から遠位に安定させるために、楕円形、長方形、または円形を含む様々な形状を含み得る。くぼみは、ステム１７１０を横切る開口部の上および／または下に配置されてもよい。いくつかの実施形態では、くぼみの外面は、図１７Ｄに示されるように、使い捨て可能な空気／水弁１７００を安定させるために丸められてもよい。くぼみの外面は、その意図された中心軸から離れる使い捨て可能な空気／水弁１７００の動きを制限し、ボタン上部の横方向の力がガスケットのシールの破れを引き起こすのを防ぐ。いくつかの実施形態では、ガスケットは、くぼみに隣接する１つまたは複数の溝１７０２および／または隆起１７０４を有する。いくつかの実施形態では、くぼみは、ガスケットの溝上にあってもよい。弁は、ステムを受け入れる開口部と、開口部の周りの様々な切り欠き１７１２とを有するばねカップ／支柱１７０６を備える。いくつかの実施形態では、切り欠きおよび開口部は接続される。いくつかの実施形態では、切り欠きは開口部から分離される。いくつかの実施形態では、切り欠きは、円形、楕円形、または長方形の形状を有し得る。いくつかの実施形態では、ばねカップ／支柱の底部は、内視鏡ポートの合わせ面への使い捨て可能な空気／水弁１７００の安定性を促進するように構成されるテーパーレベルを作り出す突出領域１７１４を有する。いくつかの実施形態では、ばねカップ／支柱の開口部は、突出領域のみにある。ばねカップ／支柱のその外側リングの周囲にブーツを有する。いくつかの実施形態では、ブーツの内面は、内面の周囲に半径方向に広がる溝１７１６および隆起１７１８を有する。これらの切り欠き、溝、および隆起は、とりわけ、内視鏡ポートへの固定を提供し、安全な取り付けおよび簡単な取り外しを可能にする。
【００７５】
図１７Ｄおよび１７Ｅは、空気／水弁のステムの側面図および斜視図である。ステム１７１０は、長手方向軸と、軸を横断する開口部１７０８とを有する。ステムは近位端と遠位端を有する。近位端は、軸に沿って開口部１７２４に隣接しており、遠位端は、横方向開口部に隣接している。いくつかの実施形態では、ステムの近位端はくぼみを有する。いくつかの実施形態では、くぼみは長方形である。いくつかの実施形態では、ガスケットは、オーバーモールド遮断部１７２６を有する。いくつかの実施形態では、遮断部は、くぼみ１７２２に隣接する。いくつかの実施形態では、ステムは、ガスケットの棚状突起に隣接するオーバーモールド遮断部１７２６ａも有する。いくつかの実施形態では、使い捨て可能な空気／水弁１７００の製造中に、遮断部にシールが形成される。
【００７６】
いくつかの実施形態では、図１７Ａ、１７Ｂ、および１７Ｄ〜Ｊに示すように、ステムの遠位端は、ステム上にオーバーモールドされた傘形弁１７１９を含む。いくつかの実施形態では、傘形弁は、近位から遠位方向への気流の一方向の動きのために構成される。傘形弁の下側は、図１７Ｅに示すように、リブ１７２３などの複数の支持体を含む。リブは、傘形弁に剛性を提供すると共に、移動中に傘形弁の適切な構成を支援するように構成されている。リブは、軸方向の弁の動きによる傘形弁の逆折れも防止する。複数の潰れることができる凹部１７２５がリブの間に配置される。複数の潰れることができる凹部は、操作者が使い捨て可能な空気／水弁１７００の上面に指を置いたときに、傘形弁の外縁１７２１が内側に潰れ、近位から遠位方向の空気流が傘形弁の外縁の周りを流れることを可能にするように構成される。いくつかの実施形態では、リブは複数の潰れることができる凹部よりも厚い。
【００７７】
いくつかの実施形態では、傘形弁の外縁は、型割り線なしで成形され、図１７Ｅおよび１７Ｆに示されるような、内視鏡ポートと整列および嵌合するように構成された角度が付けられたまたは面取りされた縁部１７２７を含む。角度が付けられたまたは面取りされた縁部は、内視鏡ポートの表面と実質的に漏れのない空気シールを形成し、使用中の背圧に起因し得る逆流の空気の流れ／漏れを防止する。いくつかの実施形態では、シール距離は、約０．００８から約０．０１０インチである。いくつかの実施形態では、図１７Ｇおよび１７Ｈに示されるように、傘形弁の外縁は、空気圧逆流に対して実質的に漏れのないシールを形成するために外側平坦縁部を形成する突起１７２９を代替的に含む。
【００７８】
図１７Ｉおよび１７Ｊは、内視鏡における使い捨て可能な空気／水弁１７００の動作の例示的な実践形態である。図１７Ｉにおいて、使い捨て可能な空気／水弁１７００は、内視鏡の空気／水シリンダ内で押し下げられる。操作者は、使い捨て可能な空気／水弁１７００の上面に指を置き、空気が漏れることを防止する。次に、傘形弁の外縁は内側に潰れて傘形弁を折り、空気が近位から遠位方向に流れて傘形弁の外縁の周りを流れることができるようにする。図１７Ｊに示すように、操作者が使い捨て可能な空気／水弁１７００を覆わず、使い捨て可能な空気／水弁１７００が押し下げられていない、または作動されていない位置にあるとき、傘形弁が展開し、内視鏡ポートの表面と空気シールを形成し、使用中の背圧に起因し得る逆流の空気の流れ／漏れを防止する。傘形弁の展開は逆流を防止する。
【００７９】
いくつかの実施形態では、図１７Ｋに示すように、製造プロセス中、傘形弁の外縁は、連続した外縁を形成するために、型１７３１内で型割り線１７３３なしで成形される。型割り線のない外縁は、より良いシールを形成する。型割り線なしで傘形弁の外縁を製造するために、外縁は、射出成形の間、下部コアピンの鋼に包まれる。いくつかの実施形態では、傘形弁は、ステムの上にオーバーモールドされる熱可塑性エラストマー（例えば、ＴＰＥ）から作製される。いくつかの実施形態では、ステムはポリカーボネートから作製することができる。
【００８０】
使い捨て可能な吸引弁
図１Ｂ、２Ｂ、３Ｂ、および４Ｂは、使い捨て可能な吸引弁５００の正面図および斜視図である。図１１Ａおよび１２Ａは、プラスチック材料から作製された使い捨て可能な吸引弁の主ステムの斜視図である。この空気／水弁にはいくつかの実践形態があるため、本出願では、同じ要素が括弧内で言及される。さらに、１つの要素への言及は、すべての同一の使い捨て可能な空気／水弁要素に等しく当てはまる。吸引弁５００は主な構成要素として、すべて長手方向軸ＡＡに沿って配置される、主ステム５０４（５０４ａ）、ボタンヘッドまたはキャップ５０１、ブーツ５０８、弾性部材（図示せず）、ガスケット、シールまたは表面５３０、５２０および５２２（５３０ａ、５２０ａおよび５２２ａ）を有する。主ステム５０４（５０４ａ）はモノリシック（例えば、単一の部品）であり、ステム５０４（５０４ａ）の一部として成形された溝５１０、５１２、および５２４（５ｌ０ａ、５ｌ２ａ、および５２４ａ）と、開口端５２２（５２２ａ）の周りに配置された近位端５３５（５３５ａ）とを有する。ステム５０４（５０４ａ）はさらに、部分的な横方向開口部５１４（５１４ａ）を含む。開口部５１４（５１４ａ）は、第１の開口部５１６（図１２Ａの５１６ａ）を横切って交差する第２の開口部であり、第１の開口部は図１１Ａにおいて端縁５９０に隣接し、図１２Ａにおいて端縁５９０ａに隣接する。隆起および／または溝は、剛性であり得るか、またはそれらは可撓性であり得る。図示の実施形態では、隆起および／または溝のために、主ステムは直径が変化し、直径は隆起によってより大きく、直径は溝部によってより小さい。この構成により、ガスケットまたはシールを溝に挿入することが可能になる。
【００８１】
使い捨て可能な吸引弁５００は、ステム５０４（５０４ａ）、ステムインサート５０２（５０２ａ）、ブーツ５０８（５０８ａ）、ばねカップ／支柱６００（６００ａ）（図３Ｂ、１５Ａおよび１５Ｂ）およびばね５０６（５０６ａ）（図示せず）を含み得る。使い捨て可能な吸引弁の１つまたは複数の構成要素は、ポリウレタン、ポリ尿素、ポリエーテル（アミド）、ＰＥＢＡ、熱可塑性エラストマーオレフィン、コポリエステル、およびスチレン系熱可塑性エラストマー、炭素繊維、ガラス繊維、セラミック、メタクリレート、ポリ（Ｎ−イソプロピルアクリルアミド）、ＰＥＯ−ＰＰＯ−ＰＥＯ（プルロニクス）、ゴム、プラスチック（例えば、ポリカーボネート）、ＡＢＳ、ＭＡＢＳ、シリコーン、またはそれらに類するもの、あるいはそれらの組み合わせを含むがそれらに限定されない使い捨て可能な材料を含み得る。ステム５０４（５０４ａ）およびステムインサート５０２（５０２ａ）は、プラスチック、ポリマー材料、またはそれらに類するものなどの適切な材料または材料の組み合わせから形成され得る。ステムインサート５０２は、弁のタイプを、または弁が吸引弁であることを示すために、色分け（例えば、黒、オレンジ、赤、その他）することができる。他の実施形態では、ステムインサート５０２（５０２ａ）は省略してもよく、または色分けは別の手段（例えば、塗装）によって提供されてもよい。
【００８２】
ブーツ５０８（５０８ａ）は、例えば、ポリウレタン、ポリ尿素、ポリエーテル（アミド）、ＰＥＢＡ、熱可塑性エラストマーオレフィン、コポリエステル、およびスチレン系熱可塑性エラストマー、炭素繊維、ガラス繊維、セラミック、メタクリレート、ポリ（Ｎ−イソプロピルアクリルアミド）、ＰＥＯ−ＰＰＯ−ＰＥＯ（プルロニクス）、ゴム、プラスチック（例えば、ポリカーボネート）、またはそれらに類するもの、あるいはそれらの組み合わせなどの適切な材料から形成することができる。
【００８３】
一実施形態では、ブーツ５０８（５０８ａ）は、組み立てを容易にするために柔軟な材料、例えば、組み立て中にブーツ５０８がばね支柱カップ６００上を滑動して回路内の吸引を密封することを可能にする材料から形成することができる。他の実施形態では、ブーツ５０８は、ばね支柱カップの上にオーバーモールドされてもよい。ばね５０６は、耐食性金属、ポリウレタン、ポリ尿素、ポリエーテル（アミド）、ＰＥＢＡ、熱可塑性エラストマーオレフィン、コポリエステル、およびスチレン系熱可塑性エラストマー、炭素繊維、ガラス繊維、セラミック、メタクリレート、ポリ（Ｎ−イソプロピルアクリルアミド）、ＰＥＯ−ＰＰＯ−ＰＥＯ（プルロニクス）、ゴム、プラスチック、またはそれらに類するもの、あるいはそれらの組み合わせなど、適切な材料から形成することができる。
【００８４】
吸引弁５００のばね５０６（５０６ａ）は、任意の弾性部材（例えば、圧縮後に元の形状または位置を取り戻す部材）から作製することができる。弾性部材は、例えば、ばね、プラスチック、ゴム、または圧縮された後に元の形状または位置に戻る他の弾性部材を含むことができる。
【００８５】
本出願の使い捨て可能な吸引弁は、いくつかの実施形態では、吸引を改善し、弁の望まない領域または医療機器の望まない領域に出入りする漏れおよび／または流体を低減または排除する。本出願の使い捨て可能な吸引弁は、いくつかの実施形態では、破片が弁を詰まらせることを低減または排除する。
【００８６】
いくつかの実施形態では、図１Ｂ〜４Ｂに示されるように、従来技術の使い捨て可能なではない７構成要素吸引弁とは異なり、本出願の使い捨て可能な吸引弁は、４つの構成要素：ステム５０４、ブーツ５０８、ばねカップ／支柱６００（図３Ｂ）およびばね５０６（図示せず）を備える。いくつかの実施形態では、従来技術の使い捨て可能ではない７構成要素吸引弁とは異なり、本出願の使い捨て可能な吸引弁は、５つの構成要素：ステム５０４、ブーツ５０８、ばねカップ／支柱６００（図３Ｂ）、ばね５０６、およびステムインサート５０２を備える。
【００８７】
いくつかの実施形態では、本出願の使い捨て可能な吸引弁と従来技術との違いは、従来技術の弁がステム（ねじ付きボタンヘッド端部を有する）に加えて、金属バッキングプレート（ステムにねじ留めされ、プラスチックボタンヘッドに安全なジョイントを提供する）およびプラスチックボタンヘッドを有することである。本出願の使い捨て可能な吸引弁では、いくつかの実施形態において、支柱カップが成形され、その後、ブーツがこの部品にオーバーモールドされる。したがって、いくつかの実施形態では、さらに後述するように、支柱カップはブーツとモノリシックであり（例えば、それらはワンピースである）、したがって、製造プロセスはより単純である。したがって、本出願の使い捨て可能な吸引弁は、製造がより容易であり得、従来技術の使い捨て可能ではない７構成要素吸引弁と比較して、構成要素が誤動作する可能性が少ない。
【００８８】
対照的に、再利用可能な吸引弁のステムは、ステンレス鋼またはそれに類するものなど、繰り返しの洗浄、消毒、および滅菌に適した材料から作製された１つまたは複数の構成要素から形成することができる。この材料は、再利用可能な吸引弁を再利用のために繰り返し洗浄、消毒、および滅菌することを可能にするが、このような材料は高価である可能性がある。適切に洗浄することは困難であり、より多くの構成要素が必要であり、追加の製造および組み立てステップが必要であり、より高価な製造プロセス等が必要である。使い捨て可能な吸引弁よりも製造コストが高いことに加えて、再利用可能な吸引弁は、弁を繰り返し洗浄、消毒、滅菌するために使用される機器と材料も必要とする。
【００８９】
図１Ｂ〜４Ｂはまた、弁５００上および少なくともステム５０４上に配置され得る潤滑剤１０００を示す。いくつかの実施形態において、潤滑剤１０００はまた、抗菌剤を含む。図４Ｂでは、ステムの表面５６４上の使い捨て可能な吸引弁は、内視鏡における弁の位置合わせを支援する円形領域５５２を有する。
【００９０】
図１Ｂ〜４Ｂに示されるように、使い捨て可能な吸引弁５００は、他の弁に見られる構成要素、例えば、ステム５０４、ステムインサート５０２、ブーツ５０８、ばねカップ／支柱６００（図３Ｂ）、ばね５０６（図示せず）およびステムキャップまたはボタンキャップ５０１を備える。使い捨て可能な吸引弁５００のステム５０４は、開口部縁部／表面５３０ａによって支持される横方向開口部５１４と突起５３２ａ（図１２Ａ、１２Ｂ）を含むが、横方向開口部５１４は、ステム５０４（５０４ａ）を貫いて横方向にそして完全に延びる貫通開口穴を含まない。したがって、本明細書で考察する実施形態は、他のタイプおよび／またはブランドの内視鏡に対応するように変更することができる。いくつかの実施形態では、使い捨て可能な弁は、ステムまたはステムの周りに配置されたシール（例えば、Ｏリングシール、またはステムの周りに配置されたバンド）とモノリシックである複数のミニシール（例えば、２、３、４、５、６、７、８、９、１０、１１、１２個のシールなど）をステムの周りに有する。
【００９１】
図１１Ａおよび１２Ａは、使い捨て可能な吸引弁５００の異なる実践形態の斜視図である。図１１Ｂ〜１１Ｆおよび１２Ｂ〜１２Ｆは、吸引弁５００の異なる実践形態のステム５０４および５０４ａの断面図、底面図、上面図および詳細図である。図１１Ａおよび１２Ａを参照すると、ステム５０４および５０４ａは、溝または凹部５１０（５１０ａ）、５１２（５１２ａ）および５２４（５２４ａ）、ならびにガスケット５２０（５２０ａ）および５２２（５２２ａ）を含むモノリシック（例えば、単一部品）である。凹部５１０は、図１１Ａの近位端縁５２８に隣接している。ステム５０４（５０４ａ）はまた、軸ＡＡに沿った第１の開口部５１６（５１６ａ）を含む。ステム５０４はまた、縁または表面５３０（５３０ａ）を有する横方向開口部５１４（５１４ａ）を含む。表面５３０はガスケット表面を有し、これはいくつかの態様では粗いテクスチャを有する可能性がある。同様に、図１２Ａに示されるステム５０４ａは、ガスケット表面である表面５３０ａを有し、いくつかの態様では、粗いテクスチャを有する可能性がある。
【００９２】
使い捨て可能な吸引弁５００の１つまたは複数の構成要素は、ポリウレタン、ポリ尿素、ポリエーテル（アミド）、ＰＥＢＡ、熱可塑性エラストマーオレフィン、コポリエステル、およびスチレン系熱可塑性エラストマー、炭素繊維、ガラス繊維、セラミック、メタクリレート、ポリ（Ｎ−イソプロピルアクリルアミド）、ＰＥＯ−ＰＰＯ−ＰＥＯ（プルロニクス）、ゴム、プラスチック（例えば、ポリカーボネート）、ＡＢＳ、ＭＡＢＳ、シリコーン、またはそれらに類するもの、あるいはそれらの組み合わせを含むがこれらに限定されない使い捨て可能な材料を含み得る。ステム５０４および５０４ａならびにステムインサート５０２および５０２ａは、プラスチック、ポリマー材料、またはそれらに類するものなど、適切な材料または材料の組み合わせから形成され得る。ステムインサート５０２および５０２ａは、弁のタイプを示すため、または弁が吸引弁であることを示すために色分け（例えば、黒、赤、オレンジ）することができる。他の実施形態では、ステムインサート５０２および５０２ａの色は省略されてもよく、または色分けは他の手段（例えば、塗装）によって提供されてもよい。
【００９３】
ブーツ５０８（５０８ａ）は、例えば、ポリウレタン、ポリ尿素、ポリエーテル（アミド）、ＰＥＢＡ、熱可塑性エラストマーオレフィン、コポリエステル、およびスチレン系熱可塑性エラストマー、炭素繊維、ガラス繊維、セラミック、メタクリレート、ポリ（Ｎ−イソプロピルアクリルアミド）、ＰＥＯ−ＰＰＯ−ＰＥＯ（プルロニクス）、ゴム、プラスチック（例えば、ポリカーボネート）またはそれらに類するもの、あるいはそれらの組み合わせなど、適切な材料から形成され得る。
【００９４】
一実施形態では、ブーツ５０８（５０８ａ）は、組み立てを容易にするために柔軟な材料、例えば、組み立て中にブーツ５０８（５０８ａ）がばね支柱カップ（図示せず）上で滑動されて回路内の吸引を密封することを可能にする材料から作製され得る。他の実施形態では、ブーツ５０８（５０８ａ）は、ばね支柱カップにオーバーモールドされてもよい。ばね５０６（５０６ａ）は、耐食性金属、ポリウレタン、ポリ尿素、ポリエーテル（アミド）、ＰＥＢＡ、熱可塑性エラストマーオレフィン、コポリエステル、およびスチレン系熱可塑性エラストマー、炭素繊維、ガラス繊維、セラミック、メタクリレート、ポリ（Ｎ−イソプロピルアクリルアミド）、ＰＥＯ−ＰＰＯ−ＰＥＯ（プルロニクス）、ゴム、プラスチック、またはそれらに類するもの、あるいはそれらの組み合わせなど、適切な材料から形成され得る。ばね５０６（５０６ａ）には、任意の弾性部材（例えば、圧縮後に元の形状または位置を取り戻す部材）を使用できることが理解されよう。弾性部材は、例えば、ばね、プラスチック、ゴム、または圧縮された後に元の形状または位置に戻る他の弾性部材を含むことができる。
【００９５】
図１Ｂ〜４Ｂはまた、弁５００上および少なくともステム５０４上に配置され得る潤滑剤１０００を示す。いくつかの実施形態において、潤滑剤１０００はまた、抗菌剤を含む。
【００９６】
対照的に、再利用可能な吸引弁のステムは、ステンレス鋼またはそれに類するものなど、繰り返しの洗浄、消毒、および滅菌に適した材料で作製された１つまたは複数の構成要素から形成されてもよい。この材料は、再利用可能な吸引弁を再利用のために繰り返し洗浄、消毒、および滅菌することを可能にするが、このような材料は高価である可能性がある。適切に洗浄することは困難であり、より多くの構成要素が必要であり、追加の製造および組み立てステップが必要であり、より高価な製造プロセス等が必要である。使い捨て可能な吸引弁よりも製造コストが高いことに加えて、再利用可能な吸引弁には、弁を繰り返し洗浄、消毒、滅菌するために使用される機器と材料も必要である。
【００９７】
図１１Ｂおよび図１２Ｂは、溝または凹部５１０（５ｌ０ａ）、５１２（５ｌ２ａ）、５２４（５２４ａ）、ガスケット５２０（５２０ａ）および５２２（５２２ａ）、横方向開口部５１４（５ｌ４ａ）および突起５３２（５３２ａ）を示す、吸引弁ステム５０４および５０４ａの例示的な実施形態の図を示す。ステム５０４（５０４ａ）は、内視鏡との接触を強化することを意図した表面５３０（５３０ａ）も含む。突起５３２および５３２ａは、図１１Ｃ、１１Ｄ、１２Ｃ、および１２Ｄに示されている。
【００９８】
図１１Ｂおよび１２Ｂは、ステム５０４および５０４ａの図である。図１１Ｃおよび１２Ｃは、それぞれ近位端で取られたステム５０４および５０４ａの上面図である。図１１Ｄおよび１２Ｄは、それぞれステム５０４および５０４ａの遠位端で取られた底面図である。図１１Ｅおよび１２Ｅは、それぞれ図１１Ｄおよび１２ＤのＢＢ面に沿った断面図である。図１１Ｆおよび１２Ｆは、図１１Ｅおよび１２Ｅに示されるガスケット５２０（５２０ａ）および５２２（５２２ａ）の詳細Ｃを示す。ステム５０４および５０４ａの遠位端にあるガスケット５２０（５２０ａ）および５２２（５２２ａ）は、ポリカーボネートまたはエラストマーから作製することができる。ガスケット５２０（５２０ａ）および５２２（５２２ａ）は、二重シールを提供し、これは、より効率的な吸引を提供し、漏れを防止し、断面の目詰まりを排除する設計である。一般に、突起５３２および５３２ａは、内視鏡、特に富士フィルム（商標）内視鏡とのより良好な位置合わせを提供する。
【００９９】
図１３Ａおよび１３Ｂは、内視鏡における使い捨て可能な吸引弁９００の一般的な動作の例示的な実施形態である。使い捨て可能な吸引弁９００は、内視鏡の吸引シリンダ内に配置され得る。内視鏡の吸引チャネルは、器具チャネルに連結され、内視鏡の遠位端につながるか、または患者へとつながる。内視鏡は、吸引ポンプまたはそれに類するものに接続されて、吸引弁が作動されたときに吸引チャネル内に負圧を生成することができる。使い捨て可能な吸引弁は、中央ボアの長手方向軸に沿って弁の遠位端に配置される第１の開口部を有する。弁は、弁の中央近くで、弁の内部チャネルの上部に配置された第２の開口部９０２を有する。第２の開口部９０２は、中央ボアに沿って長手方向軸を横切る。第２の開口部９０２は、開口部に支持を提供し、弁の他の部分への不要な吸引を防止するシール用棚状突起の層によって囲まれている。図１３Ａに示される非作動位置では、第２の開口部９０２は、吸引チャネルと位置がずれており、それにより、吸引ポンプが吸引チャネル内に負圧を生成することを防止している。吸引弁９００は、非作動位置では表面９０４に対するシールを形成しておらず、これにより、吸引弁９００を介して内視鏡の吸引シリンダ／ポートを通して空気が入ることが可能になり得る。使い捨て可能な吸引弁９００はまた、ばね、キャップ、およびステムを有する。ステムの一部を囲むばねがキャップの下に配置されている。
【０１００】
例えば、ばね５０６が圧縮されていない場合、使い捨て可能な吸引弁９００は、空気が吸引弁９００を通って入ることを可能にし得る。ステム５０４は、ばねカップ／支柱６００に対するシールを形成せず、ステム５０４は、非作動位置にある内視鏡の吸引シリンダのシリンダ壁に対してシールを形成しないことに留意されたい。操作者が使い捨て可能な吸引弁９００を作動させると（例えば、ステム５０４を押し下げてばね５０６を圧縮して）、開口部９０２は、図１３Ｂに示されるように、内視鏡の遠位端または患者から吸引チャネルと共に位置に移動する。さらに、使い捨て可能な吸引弁９００は、作動すると、ステム５０４と表面９０４との間にシールを形成する。
【０１０１】
開口部９０２を吸引接続部への吸引経路と整列させ、内視鏡の吸引シリンダを密閉することにより、吸引ポンプまたはそれに類するものによって生成される負圧は、図１３Ｂに示すように内視鏡の遠位端から吸引接続部に向かって流れを引き起こす。結果として、使い捨て可能な吸引弁９００が作動位置にあるとき、空気および／または流体は内視鏡の遠位端から吸引され得る。操作者が吸引弁を解放すると、ばね５０６により使い捨て可能な吸引弁９００は図１３Ａに示される非作動位置に戻る。
【０１０２】
開口部９０２を吸引接続部への吸引経路に整列させ、内視鏡の吸引シリンダを密閉するこの手順、および図１３Ｂに示されるように内視鏡の遠位端から吸引接続部に向かって流れを引き起こす吸引ポンプまたはそれに類するものによって生成される負圧は、様々な吸引弁および／または構成要素、例えば、図１１Ａおよび１２Ａに記載されているそれらの弁ステムを用いて達成することができる。結果として、使い捨て可能な吸引弁９００が作動位置にあるとき、空気および／または流体は内視鏡の遠位端から吸引され得る。操作者が吸引弁９００のステム５０４を解放すると、ばね５０６により使い捨て可能な吸引弁９００は図１３Ａに示される非作動位置に戻る。
【０１０３】
吸引弁は内視鏡と共に使用するように設計されているが、他の医療器具を本吸引弁またはアセンブリと共に使用できることが理解されよう。これらの器具には、例えば、結腸鏡、腹腔鏡、気管支鏡、または吸引を必要とするカメラを備えたあらゆる医療器具が含まれる。
【０１０４】
いくつかの実施形態では、使い捨て可能な吸引弁を製造するための方法が存在し、その方法は、ステムを成形し；弾性部材のフランジを成形し；ステムの上端を弾性部材の中心を通して配置し；弾性部材用のフランジのステム開口部を通してステムの下端を配置し；弾性部材用のフランジのタブをステムの凹んだ開口部に配置することを含む。
【０１０５】
いくつかの実施形態では、支柱またはフランジがブーツと一体である（例えば、それらはワンピースである）使い捨て可能な吸引弁がある。
【０１０６】
いくつかの実施形態では、ステムの長手方向軸に沿って配置された第１の開口部、および第１の開口部に対して横方向に配置された第２の開口部を備えるステムであって、第１および第２の開口部は空気および／または流体の通過を許容するステムと；ステムに取り付けるように構成された少なくとも１つの凹部および／または突起を備える弾性部材を支持するためのフランジとを備える吸引弁アセンブリが存在し、フランジは、ステムを受け入れ、上方および下方位置のステムの移動を可能にするように構成された開口部を備え、弾性部材は、フランジおよびステム、および／またはばね支柱と接触するように構成される。
【０１０７】
図１４は使い捨て可能な吸引弁の製造プロセスのフローチャートを示す。使い捨て可能な吸引弁とは対照的に、再利用可能な吸引弁は、繰り返しの洗浄、消毒、および滅菌に適した金属構成要素を含み得る。これらの金属構成要素は、使い捨て可能な吸引弁の構成要素よりもコストのかかる製造とより複雑な組み立てが必要になる場合がある。例えば、金属構成要素は、精密機械加工／研削、ねじ切り、打抜き、機械プレスまたはそれらに類するものによって製造され得る。さらに、組み立て中、金属構成要素は、一緒に溶接される、または接着剤を使用して接着されるなどをされる必要があるかもしれない。これらのステップは製造を複雑にし、コストを増加させる可能性がある。
【０１０８】
使い捨て可能な吸引弁は、低コストの製造と簡素化された組み立てプロセスを提供し、それによって吸引弁のコストを大幅に削減する。使い捨て可能な吸引弁の低コストの材料、製造プロセス、および組み立てプロセスは、コスト高な再利用可能な吸引弁を利用する代替手段を提供する。さらに、使い捨て可能な吸引弁は構成要素の数を減らすことができる。
【０１０９】
ステップＳ１０において、ステムは、射出成形またはそれに類するものなどの適切な成形プロセスを使用して成形される。ステップＳ２０において、ばね支柱カップは、例えば、射出成形、回転成形またはそれらに類するものなどの適切な熱可塑性加工技術、押出技術（例えば、押出、共押出、多層押出、その他）を用いて成形される。
【０１１０】
ステムおよびばね支柱カップは、例えば、ポリウレタン、ポリ尿素、ポリエーテル（アミド）、ＰＥＢＡ、熱可塑性エラストマーオレフィン、コポリエステル、スチレン系熱可塑性エラストマー、炭素繊維、ガラス繊維、セラミック、メタクリレート、ポリ（Ｎ−イソプロピルアクリルアミド）、ＰＥＯ−ＰＰＯ−ＰＥＯ（プルロニクス）、ゴム、プラスチック（例えば、ポリカーボネート）、ＡＢＳ、ＭＡＢＳ、シリコーンまたはそれらに類するもの、あるいはそれらの組み合わせなどの適切な材料から形成される。ステムおよびばね支柱カップは、操作者によって吸引弁に加えられる力に耐えることができる剛性材料から形成することができる。
【０１１１】
製造プロセスの別の実施形態では、ステムおよびばね支柱は、超音波溶接成形部品によって接合されてもよい。ブーツは、ステップＳ３０において、ばね支柱カップの上に成形または組み立てられてもよい。ブーツは、ばね支柱カップ上に射出成形、オーバーモールドされ得るか、または任意の適切な成形プロセスを使用して成形され得る。ブーツが別個に成形されるとき、ブーツはまた、ステップＳ３０の間にばね支柱カップ上に組み立てられてもよい。ブーツは、ゴム、プラスチック、ポリマー材料、またはそれらに類するものなどの適切な材料または材料の組み合わせから形成される。ステップＳ４０およびＳ５０において、ステムの頂部は、ばねの中心およびばね支柱カップのステム開口部を通して配置される。次に、ステップＳ６０において、ばね支柱カップタブがステムの凹状開口部に配置されて、使い捨て可能な吸引弁の組み立てが完了する。
【０１１２】
他の実施形態では、弁アセンブリ５００が製造されると、ステップＳ１０００において、潤滑剤１０００が、潤滑剤１０００を主ステムに塗布することによって弁上に配置され得る。特定の態様では、潤滑剤は抗菌剤を含み、ここで（ｉ）主ステムは色分けされ、弾性部材はばねであり；（ｉｉ）ボタンキャップがステムに超音波溶接、接着、ネジ留め、スナップ嵌め、またはその他の方法で取り付けられ；および／または（ｉｉｉ）ボタンキャップは弾性部材を中央に置く。他の態様では、使い捨て可能な弁アセンブリを製造する方法は、支柱を第２の型に配置するステップをさらに含み、この際ブーツが支柱の上にオーバーモールドされる。
【０１１３】
使い捨て可能な空気／水および吸引弁用のブーツおよびキャップスナップ付きばねカップ
本開示の使い捨て可能な空気／水および吸引弁１００（５００）は、ブーツ１０４（５０８）を備えた同じばねカップを利用することができる。さらに、ボタンキャップ１０２（５０１）は、両方のタイプの使い捨て可能な弁１００（５００）にスナップ留めすることができる。これらの要素は両方のタイプの弁に適用できるため、本開示では２つの番号を使用し、１つ目は空気／水弁に適用可能であり、２つ目は吸引弁に適用可能である。
【０１１４】
図１５Ａのブーツ１０４（５０８）は、その内部に支柱リング２００（６００）を含み、その外部は、上縁２０８（７０８）によって縁取られている。支柱リング２００（６００）は、ブーツ１０４（５０８）を保持する外面、仕切りまたはダイヤフラム２０４（７０４）を、ステム１０１（５０４）の近位端１３５（５３５）を受け入れるための切り欠き開口部２０６ａ（７０６ａ）と共に提供する外側リング（図示せず）を含む。より大きな直径の円の半径に沿っていくつかの周辺切り欠き２０６ｂ（７０６ｂ）を有するより大きな直径の円として切り欠き開口部２０６ａ（７０６ａ）が成形されるが、任意の他の適切な形状の切り欠き開口部（例えば、正方形、三角形）を利用できることを認識すべきである。ステム１０１（５０４）の近位端１３５（５３５）は、支柱２００（６００）および弾性部材１２５（５０６）（例えば、ばね、ゴム、弾性体、図示せず）を通して配置され得、その後、ボタンキャップ１０２（５０１）（図示せず）に固定することができる。
【０１１５】
ステム１０１（５０４）の近位端１３５（５３５）の外径は、ボタンキャップ１０２（５０１）の中空中央ボアより小さく、それにより、ステム１０１（５０４）の端部１３５（５３５）をボタンキャップ１０２（５０１）の中央ボアに挿入することができる。近位端１３５（５３５）は、ボタンキャップ１０２（５０１）からわずかに突出して、操作者にベント孔が指で密閉されていることの触覚的な確認を与えることができる。ステム１０１（５０４）は、超音波溶接、適切な接着剤、機械的取り付け（例えば、ねじまたはそれに類するもの）、または任意の適切な取り付け方法を使用して、ボタンキャップ１０２（５０１）に固定することができる。
【０１１６】
使い捨て可能な空気／水弁１００または吸引弁５００の別の実践形態では、ブーツ１０４（５０８）および保持リング２００（６００）は、単一部品として成形されてもよい。使い捨て可能な空気／水弁１００または吸引弁５００の別の実践形態では、ステム１０１（５０４）およびボタンキャップ１０２（５０１）は、単一部品として成形されてもよい。他の実践形態では、ブーツ１０４（５０８）は、保持リング２００（６００）とは別に成形され、組み立て中に保持リング２００（６００）上に配置されてもよい。
【０１１７】
図１５Ｂは、支柱リング２００（６００）の斜視図である。支柱リング２００（６００）は、上縁２０８（７０８）と、ブーツ１０４（５０８）を保持するための表面を提供する外側リング２１０（７１０）とを含む。支柱リング２００（６００）はまた、切り欠き開口部２０６ａ（７０６ａ）の半径の周りにいくつかの周辺切り欠き２０６ｂ（７０６ｂ）を備えた切り欠き開口部２０６ａ（７０６ａ）を備える。他の任意の適切な形状の切り欠き開口部２０６ａ（７０６ａ）（例えば、正方形、三角形およびそれらに類する形状）が利用されてもよいことが認識されるべきである。支柱リング２００（６００）はまた、切り欠き開口部２０６ａ（７０６ａ）と周辺切り欠き２０６ｂ（７０６ｂ）との間に配置されたダイヤフラム２０４（７０４）を含む。ダイヤフラム２０４（７０４）は、切り欠きに仕切りを提供し、ばね１２５（５０６）を支持する表面を提供する。ダイヤフラム２０４（７０４）の形状は、切り欠き開口部２０６ａ（７０６ａ）の形状に応じて変化し得る。切り欠きとダイヤフラムの形状は、空気と水の層流に影響を与える。別の実施形態では、切り欠き開口部２０６ａ（７０６ａ）は円であり、周辺切り欠き２０６ｂ（７０６ｂ）もまた、円弧状のダイヤフラムを備えた円である。
【０１１８】
いくつかの用途において、ブーツ１０４（５０８）はまた、組み立てを容易にするために柔軟な材料、例えば、ブーツ１０４（５０８）を保持リング２００（６００）上で滑らせることができる材料から作製されてもよい。保持リング２００（６００）、ステム１０１（５０４）、およびボタンキャップ１０２（５０１）は、プラスチック、高分子材料、ポリウレタン、ポリ尿素、ポリエーテル（アミド）、ＰＥＢＡ、熱可塑性エラストマーオレフィン、コポリエステル、スチレン系熱可塑性エラストマー、炭素繊維、ガラス繊維、セラミック、メタクリレート、ポリ（Ｎ−イソプロピルアクリルアミド）、ＰＥＯ−ＰＰＯ−ＰＥＯ（プルロニクス）、ゴム、プラスチック（例えば、ポリカーボネート）、ＡＢＳ、ＭＡＢＳ、シリコーン、またはそれらの組み合わせなどの適切な材料または材料の組み合わせから形成される。他のいくつかの実践形態では、ブーツ１０４（５０８）は、支柱リング２００（６００）の上にオーバーモールドされる。他の実施形態では、ブーツ１０４（５０８）は、支柱カップ２００（６００）と一体である。
【０１１９】
図１５Ｃは、ブーツ１０４（５０８）の正面図である。図１５Ｄは、ブーツ１０４（５０８）および支柱２００（６００）を示す図１５ＣのＥＥ面に沿った断面図である。図１５Ｅは、ブーツの上縁２０８（７０８）、および支柱の切り欠き開口部２０６ａ（７０６ａ）、周辺切り欠き２０６ｂ（７０６ｂ）およびダイヤフラム２０４（７０４）を示すブーツ１０４（５０８）の上面図である。
【０１２０】
図１６Ａは、内視鏡内で使用するための使い捨て可能な空気／水弁１００または使い捨て可能な吸引弁５００のいずれかの支柱２００（６００）と係合するためにステム１０１（５０４）にスナップ留めできるボタンキャップ１０２（５０１）の斜視図である。いくつかの実施形態では、ボタンキャップ１０２（５０１）は、適切な接着剤、超音波溶接、ねじ接続、または圧入を使用して、ステム１０１（５０４）に適用することができる。
【０１２１】
図１６Ｃは、図１６ＢのＡＡ面に沿った断面図であり、ブーツ１０４（５０８）へのスナップ留めを容易にする突起１１０（５８０）および１１２（５８２）を示す。図１６Ｄは、図１６Ｃの詳細Ｃの拡大図である。いくつかの実践形態では、ボタンキャップ１０２（５０１）は、ボタンキャップ１０２（５０１）の外周を備える環状形状１０８ａ（５８４ａ）を形成するように構成された表面１０８（５８４）およびギャップ１０８ｃ（５８４ｃ）を有する。環状形状１０８ａ（５８４ａ）は、突起１１０（５８０）および１１２（５８２）が配置される中空の中心１０８ｂ（５８４ｂ）を有する。いくつかの実践形態では、突起１１０（５８０）および１１２（５８２）は、使い捨て可能な空気／水弁または吸引弁のいずれかに適用可能なステムインサート１０５（５０２）（図２Ａ、２Ｂ）を受け入れるように構成される。いくつかの実施形態では、ステムインサート１０５（５０２）は、プラスチック、ポリマー材料またはそれらに類するものなどの適切な材料または材料の組み合わせから形成されてもよい。ステムインサート１０５（５０２）は、弁のタイプを示すために色分け（例えば、黒、赤、オレンジ）されてもよい。他の実施形態では、ステムインサート１０５（５０２）は省略してもよく、または色分けは別の手段（例えば、塗装）によって提供されてもよい。
【０１２２】
他の実践形態では、ブーツ１０４（５０８）は、支柱２００（６００）とは別に成形され、組み立て中に支柱２００に配置されてもよい。ステム１０１（５０４）は、着色材料、塗装またはそれらに類するものからステム１０１（５０４）を形成することにより、色分けまたは色合わせすることができる。使い捨て可能な空気／水弁１００または吸引弁５００の色分けは、弁が内視鏡の外にあるときに簡単に見えるので、空気／水弁１００または吸引弁５００は、非使い捨て可能な空気／水または吸引弁と対照的に、使い捨て可能な空気／水または吸引弁として簡単に識別することができる。さらに、色分けにより、空気／水または吸引弁を製造するために必要な個別の色付き構成要素が不要になる。ステム１０１（５０４）はボタンキャップ１０２（５０１）の中央ボアに挿入されているため、ステム１０１（５０４）の色分けはボタンキャップ１０２（５０１）の上部から、または使い捨て可能な空気／水弁１００または吸引弁５００が内視鏡のシリンダ内に配置されている場合に確認することができる。
【０１２３】
ボタンキャップ１０２（５０１）の上端の外径は、圧縮後に元の形状または位置を取り戻す弾性部材（例えば、ばね、ゴム、弾性体、その他）１２５（５０６）の直径よりも大きく、ダイヤフラム２０４（７０４）の切り欠き開口部２０６ａ（７０６ａ）の内径は、弾性部材（例えば、ばね、ゴム、弾性体、その他）１２５（５０６）の直径よりも小さく、弾性部材（例えば、ばね、ゴム、弾性才材料、その他）１２５（５０６）を支柱２００（６００）とボタンキャップ１０２（５０１）の間に保持する。
【０１２４】
操作者がボタンキャップ１０２を押すと、弾性部材（例えば、ばね、ゴム、弾性体、その他）１２５が圧縮され、ボタンキャップ１０２が支柱２００に向かって移動する。ステム１０１はボタンキャップ１０２に固定されているため、ボタンキャップ１０２が押されるとステム１０１も移動し、それにより、トランペット状の弁が所望の内視鏡ポートと整列するように動くことを可能にする。操作者がボタンキャップ１０２を解放すると、弾性部材（例えば、ばね、ゴム、弾性体、その他）１２５がボタンキャップ１０２を支柱２００から離れるように押し、支柱２００をステム１０１に沿って移動させる。しかしながら、支柱２００のダイヤフラム２０４の切り欠き開口部２０６ａは、シール保持領域１３３のすぐ上のステム１０１の直径よりも小さく、それによって、支柱２００がステム１０１上のシール保持領域１３３を越えて前進するのを防止する。
【０１２５】
ガスケット１６４〜１７８は、ゴム、高分子材料、または適切な材料あるいは適切な材料の組み合わせなど、シールを形成するのに適した柔軟な材料から形成される。ブーツ１０４はまた、組み立てを容易にするために柔軟な材料、例えば、ブーツ１０４が支柱２００（６００）の上を滑ることを可能にする材料から作製されてもよい。支柱２００（６００）、ステム１０１（５０４）、およびボタンキャップ１０２（５０１）は、プラスチック、高分子材料、またはそれらに類するものなど適切な材料または材料の組み合わせから形成される。しかしながら、支柱２００（６００）、ステム１０１（５０４）、およびボタンキャップ１０２（５０１）は、ガスケットまたはシール１６４〜１７８およびブーツ１０４（５０８）よりも剛性の高い材料で形成することができる。より剛性の支柱２００（６００）、ステム１０１（５０４）、およびボタンキャップ１０２（５０１）を有することは好ましいかもしれない。それというのも、それらは弾性部材（例えば、ばね、ゴム、弾性体、その他）１２５（５０６）、操作者、またはそれらに類するものによって加えられる力に晒されるためである。
【０１２６】
製造プロセスの多数のステップが任意選択のステップであってよく、または具体的に示されたものとは異なる順序で実行されてもよいことが当業者には認識されよう。製造プロセスの範囲は、特許請求の範囲に明示的に記載されている場合を除いて、本明細書で考察されている特定のシーケンスおよびステップに限定されない。
【０１２７】
本開示に記載されているすべての弁は使い捨て可能であるが、単回使用の前に滅菌可能であり得る。様々な実施形態では、これらの弁の１つまたは複数の構成要素は、最終的な包装の最終滅菌ステップにおいて放射線によって滅菌される。製品の最終滅菌は、個々の製品構成要素を個別に滅菌し、最終的な包装を無菌環境で組み立てる必要がある無菌プロセスなどのプロセスよりも優れた無菌性を保証する。
【０１２８】
いくつかの実施形態では、ガンマ線が、装置の奥深くに侵入するガンマ線からの電離エネルギーを利用することを含む最終滅菌ステップで使用される。ガンマ線は微生物を殺すのに非常に効果的である。それらは、残留物を残さず、装置に放射能を与えるのに十分なエネルギーも持たない。装置が包装内にあり、ガンマ線滅菌が高圧も真空条件も必要としない場合、ガンマ線を使用することができる。したがって、包装のシールやその他の構成要素にはストレスがかからない。さらに、ガンマ線は透過性の包装材の必要性を排除する。
【０１２９】
様々な実施形態では、電子ビーム（ｅビーム）放射を使用して、装置の１つまたは複数の構成要素を滅菌することができる。ｅビーム放射は電離エネルギーの形態であり、一般的に透過率が低く線量率が高いのが特徴である。ｅビーム照射は、微生物の生殖細胞を含めて、接触時に様々な化学的および分子的結合を変化させるという点で、ガンマ処理に似ている。ｅビーム滅菌用に生成されたビームは、電気の加速と変換によって生成された、集中した高電荷の電子の流れである。
【０１３０】
いくつかの実施形態では、装置の１つまたは複数の構成要素を滅菌するためにガス滅菌が使用される。ガス滅菌は、酸化エチレンまたは蒸気滅菌で行うことができる。
【０１３１】
様々な実施形態では、本開示に記載されている各弁と共に追加の部品を含み、それぞれの弁と共に使用されるように組み合わされたキットが提供される。例えば、キットは、第１の区画に空気／水、吸引または生検弁装置を含み得る。第２の区画は、空気／水を保持するキャニスタ、吸引または生検弁、および処置に必要な他の器具を含み得る。第３の区画は、抗菌剤を含むまたは含まない潤滑剤、手袋、ドレープ、創傷被覆材、および無菌性を維持するためのその他の処置用品、ならびに取扱説明書を含み得る。第４の区画は、追加のカニューレおよび／または針を含み得る。第５の区画は、放射線画像化のための薬剤を含み得る。各装置は、放射線で滅菌されたプラスチックパウチに個別に包装され得る。キットのカバーは装置の使用法の図を含む場合があり、区画の上に透明なプラスチックカバーを配置して、無菌状態を維持することができる。
【０１３２】
潤滑剤
多くの場合、内視鏡と共に使用するための使い捨て可能な弁アセンブリは、嵌合が十分に密でないため、内視鏡弁ポートと弁との間に漏れを生じる。使い捨て可能な弁アセンブリ、特に内視鏡ポートの中に取り付けられる弁アセンブリの部分を覆う潤滑剤は、空気または水の漏れを防ぎ、密な嵌合を提供することができる。いくつかの実施形態では、本開示で考察される使い捨て可能な弁アセンブリと共に使用することができる有用な潤滑剤は、シリコーン系潤滑剤、非シリコーン系潤滑剤および／またはそれらの組み合わせを含む。
【０１３３】
いくつかの実施形態では、潤滑剤１０００は、油潤滑剤を含む。油潤滑剤は、ポリジメチルシロキサン、ポリトリフルオロプロピルメチルシロキサン、またはジメチルシロキサンとトリフルオロプロピルメチルシロキサンのコポリマーであり得る。油潤滑剤の粘度は、約２０ｃｐ〜約１，０００，０００ｃｐであり得る。いくつかの実施形態では、本開示に記載されている内視鏡と共に使用するための使い捨て可能な弁アセンブリへの抗菌潤滑剤の塗布を容易にするために、非常に高い粘度の油潤滑剤に溶媒が添加される。
【０１３４】
例えば、シリコーンベースの潤滑剤は、ダウコーニングの医療用流体を含む。他のシリコーンベースの潤滑剤は、他の成分、例えば、アジピン酸ジイソプロピル、プルセリン油、トリベヘン酸グリセロール、シリコーン油、界面活性剤、モノオレイン酸ソルビタン、およびトリオレイン酸ソルビタンを含むことができる。
【０１３５】
適切な潤滑剤は、約２０，０００〜６０，０００、好ましくは約３５，０００〜４５，０００の分子量を有するシリコーン油またはその混合物である。特定の実施形態では、潤滑剤は、一般構造Ｉのポリジアルキルシロキサンであり：
【数１】
2021518212.tif 000003
式中、ＲとＲ’はそれぞれ独立して１から２０個の炭素原子、好ましくは１から８個の炭素原子の低級アルキルであり得るか、または５から８個の炭素原子のシリコーン含有環に結合され得、ｎは１〜２０００、いくつかの実施形態では１〜８００の整数である。他の実施形態では、構造Ｉの潤滑剤は、約１０〜１，０００，０００、さらに他の実施形態では、約１００〜２０，０００センチストークスの粘度を有する。一実施形態では、潤滑剤は、１２，５００センチストークスの粘度のダウコーニングＤＣ−３６０（登録商標）シリコーン油である。
【０１３６】
他の実施形態では、本開示に記載される使い捨て可能な弁アセンブリ用のシリコーン油溶液の別の有用な配合物は、約１５００〜３５００グラム、好ましくは約２０００〜２５００グラムの間の揮発性溶媒メチルシロキサン（ダウコーニング（登録商標）ＯＳ−１０として入手可能）を、キシレン中に分散した約３０％のポリジメチルシロキサンコポリマーを含む約１５０〜４００グラム、好ましくは約２００〜３００グラムの不揮発性溶媒溶液（ａ  ｎｏｔ  ａｓ  ｖｏｌａｔｉｌｅ  ｓｏｌｖｅｎｔ  ｓｏｌｕｔｉｏｎ）（ＮｕＳｉｌ  Ｔｅｃｈｎｏｌｏｇｙ  ＣｏｍｐａｎｙによりＭＥＤ−４１６２の商品名で販売）と組み合わせて使用する。ＯＳ−１０溶媒とＭＥＤ−４１６２溶媒溶液はこの分野で知られている多くの従来の混合機のいずれかを使用して、回転または混合プロセスによって組み合わされる。この配合物について、回転または混合プロセスは、所定の期間、例えば、最小で１０分から約３０分まで続く。この配合物の特定の１つの実施において、許容可能なシリコーン油溶液は、約２，２６２グラムのＯＳ−１０を約２５０グラムのＭＥＤ−４１６２と約１０分間回転または混合することによって作製された。
【０１３７】
いくつかの実施形態では、本開示に記載される使い捨て可能な弁アセンブリは、クロルヘキシジンおよびシリコーン潤滑剤の溶媒溶液に浸漬することができ、それにより、クロルヘキシジンおよび潤滑剤の層が物品の表面に塗布される。クロルヘキシジンの効果的なコーティングは、溶媒溶液が約０．０２〜５％、他の実施形態では、約０．１〜３．０％のクロルヘキシジンと、約０．１〜約８％、またはさらに他の実施形態では約１％〜４％（ｗ／ｖ）のシリコーンとを含む場合に得ることができる。
【０１３８】
他の実施形態では、非シリコーン系潤滑剤は、限定しないが、水溶性潤滑剤、不溶性潤滑剤、粘性ゲル潤滑剤、固体潤滑剤またはそれらの組み合わせを含む。水溶性潤滑剤は、限定しないが、ポリエチレンオキシド、ポリビニルピロリドン、ポリビニルアルコール、およびそれらの誘導体を含む。
【０１３９】
いくつかの実施形態では、潤滑剤１０００は、水溶性潤滑剤、不溶性潤滑剤、粘性ゲル潤滑剤、固体潤滑剤および成形可能な潤滑剤のうちの少なくとも１つを含む。
【０１４０】
図５Ａ、５Ｂ、５Ｃ、５Ｄ、６Ａ、６Ｂ、６Ｃ、６Ｄ、７Ａ、７Ｂ、７Ｃ、７Ｄ、１１Ａ、１１Ｂ、１２Ａ、１２Ｂ、１５Ａ、１５Ｂ、および１６Ａに示すように、抗菌剤を含むまたは含まない潤滑剤１０００を、使い捨て可能な弁アセンブリ１００および５００の外面に、浸漬、はけ塗り、吹き付け、または当業者に知られている任意の他の両立可能な技術によって塗布することができる。
【０１４１】
いくつかの実施形態では、本開示で記載される使い捨て可能な弁アセンブリ上の潤滑剤の層１０００は均一であり、例えば、約１マイクロメートルから約５マイクロメートルの厚さを有することができる。
【０１４２】
様々な実施形態において、潤滑剤１０００は、一般に、患者内に感染を引き起こし得る細菌の様々な形態および株に対して有効な抗菌剤または殺生物剤を含む。本明細書で使用される際「殺生物剤」または「殺生剤」という用語は、望ましくない生物の繁殖、成長、コロニー形成および増殖を破壊、阻害および／または防止する薬剤を指す。「生物」という用語は、微生物、バクテリア、波動バクテリア、スピロヘータ、胞子、胞子形成菌、グラム陰性菌、グラム陽性菌、酵母、真菌、カビ、ウイルス、好気性菌、嫌気性菌、およびマイコバクテリアを含むがこれらに限定されない。そのような生物の特定の例には、真菌Ａｓｐｅｒｇｉｌｌｕｓ  ｎｉｇｅｒ、Ａｓｐｅｒｇｉｌｌｕｓ  ｆｌａｖｕｓ、Ｒｈｉｚｏｐｕｓ  ｎｉｇｒｉｃａｎｓ、Ｃｌａｄｏｓｐｒｏｒｉｕｍ  ｈｅｒｂａｒｉｕｍ、Ｅｐｉｄｅｒｍｏｐｈｙｔｏｎ  ｆｌｏｃｃｏｓｕｍ、Ｔｒｉｃｈｏｐｈｙｔｏｎ  ｍｅｎｔａｇｒｏｐｈｙｔｅｓ、Ｈｉｓｔｏｐｌａｓｍａ  ｃａｐｓｕｌａｔｕｍなど；Ｐｓｅｕｄｏｍａｎａｓ  ａｅｒｕｇｉｎｏｓａ、Ｅｓｃｈｅｒｉｃｈｉａ  ｃｏｌｉ、Ｐｒｏｔｅｕｓ  ｖｕｌｇａｒｉｓ、Ｓｔａｐｈｙｌｏｃｏｃｃｕｓ  ａｕｒｅｕｓ、Ｓｔａｐｈｙｌｏｃｏｃｃｕｓ  ｅｐｉｄｅｒｍｉｓ、Ｓｔｒｅｐｔｏｃｏｃｃｕｓ  ｆａｅｃａｌｉｓ、Ｋｌｅｂｓｉｅｌｌａ、Ｅｎｔｅｒｏｂａｃｔｅｒ  ａｅｗｇｅｎｅｓ、Ｐｒｏｔｅｕｓ  ｍｉｒａｂｉｌｉｓ、その他のグラム陰性菌およびその他のグラム陽性菌、ミコバクチンなどのバクテリア；およびＳａｃｃｈａｒｏｍｃｙｃｅｓ  ｃｅｒｅｖｉｓｉａｅ、Ｃａｎｄｉｄａ  ａｌｂｉｃａｎｓなどの酵母を含む。さらに、微生物、ウイルスなどの胞子は、本開示の範囲内の生物である。
【０１４３】
本発明での使用に適した抗菌剤または殺生物剤には、フェノール、第四級アンモニウム、グアニジン、タウロリジン、パラクロロメタキシレノール、スルファジアジン銀、酸化銀、硝酸銀、ピリジニウム、塩化ベンザルコニウム、セトリミド、塩化ベネトニウム、塩化セチルピリジニウム、酢酸デクアリニウム、塩化デクアリニウム、およびクロロキシレノールが含まれるが、これらに限定されない。さらに、いくつかの実施形態では、潤滑剤１０００は、クロルヘキシジン塩基、グルコン酸クロルヘキシジン、酢酸クロルヘキシジン、塩酸クロルヘキシジン、二塩酸クロルヘキシジン、ジブロモプロパミジン、ハロゲン化ジフェニルアルカン、カルバニリド、サリチルアニリド、テトラクロロサリチルアニリド、トリクロロカルバニリド、およびそれらの混合物から選択される微生物剤を含む。さらに、いくつかの実施形態では、潤滑剤１０００は、二塩酸クロルヘキシジン、グルコン酸クロルヘキシジン、酢酸クロルヘキシジン、二酢酸クロルヘキシジン、トリクロサン、クロルオキシレノール、塩化デクアリニウム、塩化ベンゼトニウム、塩化ベンザルコニウム、およびそれらの組み合わせから選択される微生物剤を含む。抗菌剤は、潤滑剤または液体の形態に不溶性の固体粒子であり得る。使い捨て可能な弁アセンブリに塗布する前に、抗菌剤は潤滑剤内で十分に混合される。
【０１４４】
いくつかの実施形態では、潤滑剤１０００は潤滑剤１０００の約０．０１、０．０１５、０．０２０、０．０２５、０．０３０、０．０３５、０．０４０、０．０４５、０．０５０、０．０５５、０．０６０、０．０６５、０．０７０、０．０７５、０．０８０、０．０８５、０．０９０、０．０９５、０．１０、０．１５、０．２０、０．２５、０．３０、０．３５、０．４０、０．４５、０．５０、０．５５、０．６０、０．６５、０．７０、０．７５、０．８０、０．８５、０．９０、０．９５、１．０、１．５、２．０、２．５、３．０、３．５、４．０、４．５、５．０、５．５、６．０、６．５、７．０、７．５、８．０、８．５、９．０、９．５％（ｗ／ｖ）〜約１０．０％（ｗ／ｖ）の量で１種または複数種の抗菌剤を含む。他の実施形態では、潤滑剤１０００は潤滑剤１０００の約０．００１、０．００１５、０．００２０、０．００２５、０．００３０、０．００３５、０．００４０、０．００４５、０．００５０、０．００５５、０．００６０、０．００６５、０．００７０、０．００７５、０．００８０、０．００８５、０．００９０、０．００９５、０．０１０、０．０１５、０．０２０、０．０２５、０．０３０、０．０３５、０．０４０、０．０４５、０．０５０、０．０５５、０．０６０、０．０６５、０．０７０、０．０７５、０．０８０、０．０８５、０．０９０、０．０９５、０．１０、０．１５、０．２０、０．２５、０．３０、０．３５、０．４０、０．４５、０．５０、０．５５、０．６０、０．６５、０．７０、０．７５、０．８０、０．８５、０．９０、０．９５、１．０、１．５、２．０、２．５、３．０、３．５、４．０、４．５％（ｗ／ｖ）〜約５．０％（ｗ／ｖ）の量で１種または複数種の抗菌剤を含む。さらに、いくつかの実施形態では、潤滑剤１０００は、約０．０１％〜約１０．０％（ｗ／ｖ）の量で１種または複数種の抗菌剤を含む。
【０１４５】
いくつかの実施形態では、潤滑剤１０００は、テトラヒドロフラン（ＴＨＦ）、メチルエチルケトン（ＭＥＫ）およびヘキサン溶媒などの１種または複数種の一時的溶媒をさらに含む。いくつかの実施形態では、潤滑剤１０００は、潤滑剤１０００の７０％（ｗ／ｖ）にほぼ等しい量の一時的溶媒を含む。他の実施形態では、潤滑剤１０００は、２種以上の一時的溶媒を含む。
【０１４６】
他の実施形態では、潤滑剤１０００は、１種または複数種のアルコール成分を含む。適切なアルコール成分には、一般に、１〜６個の炭素（Ｃ１〜Ｃ６）を有する低級アルコールが含まれる。いくつかの実施形態では、潤滑剤１０００は、エチルアルコール、イソプロパノール、プロパノール、およびブタノールからなる群から選択されるアルコール成分を含む。他の実施形態では、潤滑剤１０００は、２種以上の低級アルコール成分、例えば、イソプロピルアルコールとエチルアルコールの混合物を約１：１０から約１：１の比率で含む。さらに、いくつかの実施形態では、潤滑剤１０００は、２種類より多くのアルコール成分の混合物を含む。
【０１４７】
いくつかの実施形態では、潤滑剤１０００は、潤滑剤１０００の４０％（ｗ／ｖ）にほぼ等しい量のアルコール成分を含む。他の実施形態では、潤滑剤１０００は、約２０％、２５％、３０％、３５％、４０％、４５％、５０％、５５％、６０％、６５％、７０％、７５％、８０％、８５％、９０％（ｗ／ｖ）〜約９５％（ｗ／ｖ）の量のアルコール成分を含む。さらに他の実施形態では、抗菌潤滑剤１０００は、シリコーン油などの潤滑剤をさらに含む。
【０１４８】
様々な実施形態において、本開示に記載されている弁を被覆するのに有用な非シリコーン潤滑剤には、親水性ポリマーコーティング、テフロン（ＰＴＦＥ）潤滑剤およびコーティング、熱可塑性コーティング、シアノアクリレートコーティング、パリレンコーティング、プラズマ表面処理、コーンスターチ粉体コーティング液体石鹸、アストログライド潤滑剤、鉱油、グリセリン、アルコール、生理食塩水、クライトックス潤滑剤、二硫化モリブデン潤滑剤および黒鉛を含む。
【０１４９】
抗菌剤
本開示に記載された内視鏡と共に使用するための使い捨て可能な弁アセンブリの表面または一部への抗菌剤を含有する潤滑剤の塗布は、結腸または内視鏡処置中にアクセス可能な他のいずれかの身体部分に存在するかまたは増殖する有害なバクテリア、真菌などの増殖を防止または実質的に排除できることが予期せずに見出された。特に、レンズすすぎ機能を作動させることは、抗菌剤自体を、または潤滑剤に含まれた抗菌剤を、内視鏡チャネルに沿ってレンズに沿って分配し、内視鏡チャネル、レンズおよび内視鏡の他の付属部品、例えば使い捨て可能な弁アセンブリに形成される可能性がある有害なバクテリアおよび／または真菌を破壊する能力を有することができる。
【０１５０】
本開示に記載された使い捨て可能な弁アセンブリを参照すると、抗菌剤自体をまたは潤滑剤と一緒に使い捨て可能な弁アセンブリの任意の構成要素に塗布することができる。例えば、それは使い捨て可能な弁の材料の一部であり得る、または手もしくは機械による噴霧またはコーティングによって使い捨て可能な弁アセンブリに塗布され得る。特に、抗菌剤は、ステム、ばね支柱および／またはばねに塗布することができる。
【０１５１】
様々な実施形態において、本開示に有用な抗菌剤は、抗生物質、抗ウイルス剤、抗真菌剤、防腐剤、消毒剤またはそれらの組み合わせを含む、本質的にそれらからなる、またはそれらからなる。本開示のいくつかの実施形態では、潤滑剤は抗菌剤を含む。他の実施形態では、熱可塑性材料は抗菌剤を含み、さらに他の実施形態では、熱可塑性材料はその上に抗菌剤がコーティングされている。様々な実施形態では、抗菌剤は抗バクテリア剤である。任意の抗バクテリア剤を潤滑剤、熱可塑性材料または熱可塑性材料を覆うコーティングと共に使用することができるが、いくつかの非限定的な例示的抗バクテリア剤には、アミノグリコシド、ベータラクタム、キノロンまたはフルオロキノロン、マクロライド、スルホンアミド、スルファメタキソゾール、テトラサイクリン、ストレプトグラミン、オキサゾリジノン（リネゾリドなど）、クリンダマイシン、リンコマイシン、リファマイシン、グリコペプチド、ポリミキシン、リポペプチド抗生物質、ならびに薬理学的に許容されるナトリウム塩、薬理学的に許容されるカルシウム塩、薬理学的に許容されるカリウム塩、脂質製剤、誘導体、および／または上記の類似体として分類されるものが含まれる。
【０１５２】
これらのクラスの抗バクテリア剤のそれぞれは、異なる作用機序を有し、いくつかの抗生物質によって表され、その考察は以下に示される。しかしながら、当業者は、本発明がここに記載された薬剤に決して限定されず、これらの薬剤が単なる例として記載されていることを認識するであろう。
【０１５３】
アミノグリコシドは、３０Ｓリボソームに結合し、細菌タンパク質合成を阻害する殺菌性抗生物質である。それらは通常、好気性グラム陰性桿菌およびブドウ球菌に対して活性である。本発明のいくつかの特定の態様で使用することができる例示的なアミノグリコシドには、アミカシン、カナマイシン、ゲンタマイシン、トブラマイシン、またはネチルマイシンが含まれる。
【０１５４】
ベータラクタムは、細菌の細胞壁合成を阻害する抗バクテリア剤のクラスである。臨床的に有用なベータラクタムの大部分は、ペニシリングループ（ペナム）またはセファロスポリン（セフェム）グループのいずれかに属する。ベータラクタムはまた、カルバペネム（例えば、イミペネム）、およびモノバクタム（例えば、アズトレオナム）を含む。クラブラン酸およびその誘導体などのベータラクタマーゼの阻害剤もこのカテゴリに含まれる。
【０１５５】
本発明の溶液で使用することができる抗生物質のペニシリン群の非限定的な例には、アモキシシリン、アンピシリン、ベンザチンペニシリンＧ、カルベニシリン、クロキサシリン、ジクロキサシリン、ピペラシリン、またはチカルシリンが含まれる。セファロスポリンの例としては、セフチオフル、セフチオフルナトリウム、セファゾリン、セファクロル、セフチブテン、セフチゾキシム、セフォペラゾン、セフロキシム、セフプロジル、セフタジジム、セフォタキシム、セファドロキシル、セファレキシン、セファマンドール、セフェピン、セフジニール、セフリアキソン、セフィキシン、セフポドキシムプロキセチル、セファピリン、セフォキシチン、セフォテタンが含まれる。ベータラクタムの他の例には、好気性および嫌気性の両方の、ほとんどすべてのグラム陽性およびグラム陰性菌に対してスペクトルを持ち、Ｅｎｔｅｒｏｃｏｃｃｉ，Ｂ．ｆｒａｇｉｌｉｓおよびＰ．ａｅｒｕｇｉｎｏｓａがそれに特に影響を受けやすい非常に活性な非経口抗生物質であるミペネムまたはメロペネムが含まれる。
【０１５６】
ベータラクタマーゼ阻害剤の例には、クラブラン酸塩、スルバクタム、またはタゾバクタムが含まれる。本発明のいくつかの態様において、抗バクテリア溶液は、少なくとも１種のベータラクタムおよび少なくとも１種のベータラクタマーゼ阻害剤の組み合わせを含み得る。
【０１５７】
マクロライド抗生物質は、リボソームの５０Ｓサブユニットに結合し、バクテリアのタンパク質合成を阻害する静菌剤の別のクラスである。これらの薬剤は、腸球菌を除いて、好気性および嫌気性のグラム陽性球菌に対して、およびグラム陰性嫌気性菌に対して活性がある。例示的なマクロライドには、エリスロマイシン、アジスロマイシン、クラリスロマイシンが含まれる。
【０１５８】
キノロンおよびフルオロキノロンは、典型的には、ＤＮＡギラーゼの活性を阻害するそれらの能力によって機能する。例として、ナリジクス酸、シノキサシン、トロバフロキサシン、オフロキサシン、レボフロキサシン、グレパフロキサシン、トロバフロキサシン、スパルフロキサシン、ノルフロキサシン、シプロフロキサシン、モキシフロキサシン、およびガチフロキサシンが含まれる。
【０１５９】
スルホンアミドは、ほとんどのグラム陽性菌および多くのグラム陰性菌に対して幅広いスペクトルを有する合成静菌性抗生物質である。これらの薬物は、葉酸代謝サイクルにおいてｐ−アミノ安息香酸の競合阻害剤として作用することにより、バクテリアの増殖を阻害する。例には、マフェニド、スルフィソキサゾール、スルファメトキサゾール、およびスルファジアジンが含まれる。
【０１６０】
抗生物質のテトラサイクリン群には、チゲサイクリン、ミノサイクリン、ドキシサイクリンまたはデメクロサイクリンなどのテトラサイクリン誘導体およびアンヒドロテトラサイクリン、クロロテトラサイクリンまたはエピオキシテトラサイクリンなどの類似体が含まれる。本発明者らは、ミノサイクリンがバンコマイシンよりも微生物バイオフィルム層への浸透が高いこと、およびＥＤＴＡが多糖類に富む微生物の糖衣を効果的に防止および溶解する点で独特であることを以前に示した。
【０１６１】
抗バクテリア剤のストレプトグラミンクラスは、キヌプリスチン、ダルフォプリスチンまたは２つのストレプトグラミンの組み合わせによって例示される。リファマイシンクラスの薬物は、通常、ＤＮＡ依存性ＲＮＡポリメラーゼを阻害し、ＲＮＡ合成を抑制し、緑膿菌やマイコバクテリウム属を含むほとんどのグラム陽性菌およびグラム陰性菌に対して非常に幅広い活性のスペクトルを示す。例示的なリファマイシンはリファンピシンである。
【０１６２】
他の抗バクテリア薬は、バンコマイシン、テイコプラニンおよびそれらの誘導体などのグリコペプチドである。さらに他の抗バクテリア薬は、コリスチンによって例示されるポリミキシンである。
【０１６３】
これらに加えて、プレスチノマイシン、クロラムフェニコール、トリメトプリム、フシジン酸、メトロニダゾール、バシトラシン、スペクチノマイシン、ニトロフランチオン、ダプトマイシンまたは他のレプトペプチド、オリタバンシン、ダルババンシン、ラモプラミン、ケトリド等のいくつかの他の抗バクテリア剤は本明細書に記載の組成物の調製に使用することができる。これらの中で、メトロニダゾールは、Ｇｉａｒｄｉａ  ｌａｍｂｌｉａ、Ｅｎｔａｍｏｅｂａ  ｈｉｓｔｏｌｙｔｉｃａ、およびＴｒｉｃｈｏｍｏｎａｓ  ｖａｇｉｎａｌｉｓなどの原生動物、および厳密に嫌気性菌に対してのみ有効である。スペクチノマイシンは、リボソームの３０Ｓサブユニットに結合する静菌性抗生物質であり、細菌タンパク質合成を阻害し、ニトロフラントインは、Ｅｓｃｈｅｒｉｃｈｉａ  ｃｏｌｉ、Ｋｌｅｂｓｉｅｌｌａ−Ｅｎｔｅｒｏｂａｃｔｅｒ種、ブドウ球菌、および腸球菌に対して活性であるため、ＵＴＩの治療または予防に経口的に使用される。
【０１６４】
他の実施形態では、抗菌剤は抗真菌剤である。抗真菌剤のいくつかの例示的なクラスには、イミダゾールまたはトリアゾール、例えばクロトリマゾール、ミコナゾール、
ケトコナゾール、エコナゾール、ブトコナゾール、オモコナゾール、オキシコナゾール、テルコナゾール、イトラコナゾール、フルコナゾール、ボリコナゾール、ポサコナゾール、ラブコナゾールまたはフルトリマゾール；アンフォテリシンＢ、リポソームアンフォテレシンＢ、ナタマイシン、ナイスタチン、およびナイスタチン脂質製剤などのポリエン系抗真菌剤；カスポファンギン、ミカファンギン、アニドルファンギン、シロファンギンなどのエキノカンジンを含む細胞壁活性環状リポペプチド抗真菌剤；ＬＹ１２１０１９；ＬＹ３０３３６６；テルビナフィンなどの抗真菌剤のアリルアミン群が含まれる。抗真菌剤のさらに他の非限定的な例には、ナフチフィン、トルナフテート、メジオシジン、カンジシジン、トリコマイシン、ハマイシン、オーレファンギン、アスコシン、アイファチン、アザコルチン、トリコマイシン、レボリン、ヘプタマイシン、カンジマイシン、グリセオフルビン、ＢＦ−７９６、ＭＴＣＨ  ２４、ＢＴＧ−１３７５８６、プラジミシン（ＭＮＳ  １８１８４）、ベナノマイシン；アンビサム；ニッコマイシン  Ｚ；フルシトシン、またはペリマイシンが含まれる。
【０１６５】
本発明のさらに他の実施形態では、抗菌剤は抗ウイルス剤である。抗ウイルス剤の非限定的な例には、シドフォビル、アマンタジン、リマンタジン、アシクロビル、ガンシクロビル、ペンシクロビル、ファムシクロビル、ホスカルネット、リバビリン、またはバルシクロビルが含まれる。いくつかの実施形態では、抗菌剤は自然免疫ペプチドまたはタンパク質である。自然ペプチドまたはタンパク質のいくつかの例示的なクラスは、トランスフェリン、ラクトフェリン、ディフェンシン、ホスホリパーゼ、リゾチーム、カテリシジン、セルプロシジン、殺菌透過性増加タンパク質、両親媒性アルファらせんペプチド、および他の合成抗菌タンパク質である。
【０１６６】
本発明の他の実施形態では、抗菌剤は防腐剤である。いくつかの防腐剤が当技術分野で知られており、これらには以下のものが含まれる；、タウリンアミド誘導体、フェノール、第四級アンモニウム界面活性剤、塩素含有剤、キナルジニウム、ラクトン、染料、チオセミカルバゾン、キノン、カルバメート、尿素、サリチルアミド、カルバニリド、グアニド、アミジン、イミダゾリン殺生物剤、酢酸、安息香酸、ソルビン酸、プロピオン酸、ホウ酸、デヒドロ酢酸、亜硫酸、バニリン酸、ｐ−ヒドロキシ安息香酸のエステル、イソプロパノール、プロピレングリコール、ベンジルアルコール、クロロブタノール、フェニルエチルアルコール、２−ブロモ−２−ニトロプロパン−１，３−ジオール、ホルムアルデヒド、グルタルアルデヒド、次亜塩素酸カルシウム、次亜塩素酸カリウム、次亜塩素酸ナトリウム、ヨウ素（様々な溶媒中）、ポビドンヨード、ヘキサメチレンテトラミン、ノキシチオリン、１−（３−コロアリル）−３，５，７−トリアゾ  １−アゾニアアダマンタンクロリド、タウロリジン、タウルルタム、Ｎ（５−ニトロ−２−フルフリリデン）−１−アミノ−ヒダントイン、５−ニトロ−２−フルアルデヒドセミカルバゾン、３，４，４’−トリクロロカルバニリド、３，４’，５−トリブロモサリチルアニリド、３−トリフルオロメチル−４，４’−ジクロロカルバニリド、８−ヒドロキシキノリン、１−シクロプロピル−６−フルオロ−１，４−ジヒドロ−４−オキソ−７−（１−ピペラジニル）−３−キノリンカルボン酸、１，４−ジヒドロ−１−エチル−６−フルオロ−４−オキソ−７−（１−ピペラジニル）−３−キノリンカルボン酸、過酸化水素、過酢酸、フェノール、オキシクロロセンナトリウム、パラクロロメタキシレノール、２，４，４’−トリクロロ−２’−ヒドロキシジフェノール、チモール、クロルヘキシジン、塩化ベンザルコニウム、塩化セチルピリジニウム、スルファジアジン銀、または硝酸銀。いくつかの実施形態では、内視鏡と共に使用するように構成された使い捨て可能な弁アセンブリと共に使用できる有用な防腐剤には、ハロゲン化銀、例えばヨウ化銀および塩化銀コロイド組成物が含まれる。いくつかの実施形態では、一部の防腐剤は、タンパク質の存在下で銀を含む。例えば、いくつかのマイルドな銀タンパク質防腐剤は、重量基準で約１９％〜約２３％の銀を含む。いくつかの実施形態では、重量基準で３０％の銀を含有するマイルドプロテイン防腐剤であるＡｒｇｙｒｏｌ（登録商標）は、本開示に記載される使い捨て可能な弁アセンブリと共に使用することができる。他の強力な銀タンパク質防腐剤は、重量基準で約７．５％〜約８．５％の銀を含有する。
【０１６７】
いくつかの実施形態では、防腐剤を含む組成物は、当業者に知られている任意の方法によって表面に塗布されてもよい。例えば、表面が本開示に記載されるような使い捨て可能な弁アセンブリの表面である場合、使い捨て可能な弁アセンブリは組成物中に浸漬されてもよく、または組成物は装置上に塗装または吹き付けられてもよい。いくつかの実施形態では、コーティング組成物は染料を含み得る。例えばトリアリールメタン染料などの染料の自己含浸特性は、別の結合剤の必要を排除する。
【０１６８】
例えば、一実施形態では、使い捨て可能な弁アセンブリをコーティングする１つの方法は、最初に、トリドデシルメチルアンモニウムクロリド（ＴＤＭＡＣ）などの界面活性剤の層、続いて抗生物質コーティング層を使い捨て可能な弁アセンブリの表面に塗布または吸収することを必要とする。使い捨て可能な弁アセンブリの表面を抗生物質でコーティングするために使用される別の方法は、最初に選択された表面を塩化ベンザルコニウムでコーティングし、続いて抗生物質組成物をイオン結合することを含む（Ｓｏｌｏｍｏｎ  ａｎｄ  Ｓｈｅｒｅｒｔｚ、１９８７；米国特許第４，４４２，１３３号明細書）。抗生物質で医療装置の表面をコーティングする他の方法は、米国特許第４，８９５，５６６号明細書（６未満のｐＨを有する負に帯電した基および負に帯電した基に結合したカチオン性抗生物質を担持する医療装置基材）；米国特許第４，９１７，６８６号明細書（抗生物質は、医療装置の表面材料のマトリックスに吸収される膨潤剤に溶解される）；米国特許第４，１０７，１２１号明細書（その後、抗生物質を吸収またはイオン結合するイオノゲンヒドロゲルで医療装置を構築する）；米国特許５，０１３，３０６号明細書（抗生物質を医療装置のポリマー表面層に積層する）；および米国特許第４，９５２，４１９号明細書（シリコーン油のフィルムをインプラントの表面に塗布し、次にシリコーンフィルムの支持面を抗生物質粉末と接触させる）に教示されている。
【０１６９】
特定の実施形態では、院内および多剤耐性品種を含む細菌および真菌に対して広域スペクトルの防腐活性を有する防腐誘導体化合物を使用して、塩化トリドデシルメチルアンモニウム（ＴＤＭＡＣ）などの含浸ビヒクルの助けなしに、様々な装置表面に含浸、結合、コーティング、接着および／または付着することができる。
【０１７０】
いくつかの実施形態において、広域スペクトル防腐剤の一例は、ゲンチアナバイオレットとクロルヘキシジンの組み合わせ（「ゲンジン」）を含む組成物である。ゲンチアナバイオレットはそれ自体優れた含浸性トリアリールメタン染料である。しかしながら、ポリ塩化ビニルを含む様々なポリマーの表面に含浸させた後、ゲンチアナバイオレット自体は、院内肺炎の２番目に多い原因であり、院内尿路感染症の３番目に多い原因であるＰｓｅｕｄｏｍｏｎａｓ  ａｅｒｕｇｉｎｏｓａに対して活性がない。本明細書において使用が特に企図されている防腐特性を有する組成物には、限定されるものではないが、ゲンジン、ゲンレノールおよびゲンフォクトールが含まれる。
【０１７１】
いくつかの実施形態では、本開示に記載されている使い捨て可能な弁アセンブリで使用できる抗菌剤は、少なくとも０．０１％（ｗ／ｖ）〜約５．０％の量で存在する。
【０１７２】
上記の抗菌剤は溶剤に入れた状態で配送することができる。本明細書で使用される溶媒の非限定的な例は、水性溶媒または非水性溶媒であり得る。特定の実施形態では、溶媒は、抗菌剤の化学構造を変更または改変する能力を持たないという点で不活性である。溶媒の非限定的な例には、水、塩化メチレン、アルコール（メタノールおよびエタノールなど）、ケトン（アセトン、メチルエチルケトンなど）、エステル（テトラヒドロフランなど）、アルデヒド（ホルムアルデヒドなど）、アセトニトリル、酢酸、クロロホルム、ブチルアセテートまたはそれらの組み合わせが含まれる。いくつかの実施形態では、溶媒は、ジメチルスルホキシドまたはＮ、Ｎ−ジメチルホルムアミドなどの双極性非プロトン性溶媒である。溶媒は、プロトン性溶媒または非プロトン性溶媒であってもよい。
【０１７３】
本明細書で記載される実践形態は、本開示の特定の態様を実証するために含まれる。本明細書で記載されている実践形態は、本開示の例示的な実践形態を表すに過ぎないことを当業者には理解されよう。当業者は、本開示に照らして、記載された特定の実践形態において多くの変更を行うことができ、なおかつ本開示の趣旨および範囲から逸脱することなく同様または類似の結果を得ることができることを理解するはずである。
【０１７４】
前述の記載から、当業者は、本開示の本質的な特徴を容易に確認することができ、その趣旨および範囲から逸脱することなく、様々な変更および修正を行って、本開示を様々な使用法および条件に適合させることができる。上に記載した実践形態は、例示のみを目的とするものであり、以下の特許請求の範囲で定義される本開示の範囲を限定するものとして解釈されるべきではない。
【図１Ａ】
2021518212.tif 000004
【図１Ｂ】
2021518212.tif 000005
【図２Ａ】
2021518212.tif 000006
【図２Ｂ】
2021518212.tif 000007
【図３Ａ】
2021518212.tif 000008
【図３Ｂ】
2021518212.tif 000009
【図４Ａ】
2021518212.tif 000010
【図４Ｂ】
2021518212.tif 000011
【図５Ａ】
2021518212.tif 000012
【図５Ｂ】
2021518212.tif 000013
【図５Ｃ】
2021518212.tif 000014
【図５Ｄ】
2021518212.tif 000015
【図５Ｅ】
2021518212.tif 000016
【図５Ｆ】
2021518212.tif 000017
【図５Ｇ】
2021518212.tif 000018
【図５Ｈ】
2021518212.tif 000019
【図６Ａ】
2021518212.tif 000020
【図６Ｂ】
2021518212.tif 000021
【図６Ｃ】
2021518212.tif 000022
【図６Ｄ】
2021518212.tif 000023
【図６Ｅ】
2021518212.tif 000024
【図６Ｆ】
2021518212.tif 000025
【図６Ｇ】
2021518212.tif 000026
【図７Ａ】
2021518212.tif 000027
【図７Ｂ】
2021518212.tif 000028
【図７Ｃ】
2021518212.tif 000029
【図７Ｄ】
2021518212.tif 000030
【図７Ｅ】
2021518212.tif 000031
【図７Ｆ】
2021518212.tif 000032
【図７Ｇ】
2021518212.tif 000033
【図８Ａ】
2021518212.tif 000034
【図８Ｂ】
2021518212.tif 000035
【図８Ｃ】
2021518212.tif 000036
【図９Ａ】
2021518212.tif 000037
【図９Ｂ】
2021518212.tif 000038
【図９Ｃ】
2021518212.tif 000039
【図１０】
2021518212.tif 000040
【図１１Ａ】
2021518212.tif 000041
【図１１Ｂ】
2021518212.tif 000042
【図１１Ｃ】
2021518212.tif 000043
【図１１Ｄ】
2021518212.tif 000044
【図１１Ｅ】
2021518212.tif 000045
【図１１Ｆ】
2021518212.tif 000046
【図１２Ａ】
2021518212.tif 000047
【図１２Ｂ】
2021518212.tif 000048
【図１２Ｃ】
2021518212.tif 000049
【図１２Ｄ】
2021518212.tif 000050
【図１２Ｅ】
2021518212.tif 000051
【図１２Ｆ】
2021518212.tif 000052
【図１３Ａ】
2021518212.tif 000053
【図１３Ｂ】
2021518212.tif 000054
【図１４】
2021518212.tif 000055
【図１５Ａ】
2021518212.tif 000056
【図１５Ｂ】
2021518212.tif 000057
【図１５Ｃ】
2021518212.tif 000058
【図１５Ｄ】
2021518212.tif 000059
【図１５Ｅ】
2021518212.tif 000060
【図１６Ａ】
2021518212.tif 000061
【図１６Ｂ】
2021518212.tif 000062
【図１６Ｃ】
2021518212.tif 000063
【図１６Ｄ】
2021518212.tif 000064
【図１６Ｅ】
2021518212.tif 000065
【図１６Ｆ】
2021518212.tif 000066
【図１６Ｇ】
2021518212.tif 000067
【図１６Ｈ】
2021518212.tif 000068
【図１７Ａ】
2021518212.tif 000069
【図１７Ｂ】
2021518212.tif 000070
【図１７Ｃ】
2021518212.tif 000071
【図１７Ｄ】
2021518212.tif 000072
【図１７Ｅ】
2021518212.tif 000073
【図１７Ｆ】
2021518212.tif 000074
【図１７Ｇ】
2021518212.tif 000075
【図１７Ｈ】
2021518212.tif 000076
【図１７Ｉ】
2021518212.tif 000077
【図１７Ｊ】
2021518212.tif 000078
【図１７Ｋ】
2021518212.tif 000079
【国際調査報告】
2021518212.tif 000080
2021518212.tif 000081